(57)【要約】      （修正有）【課題】繰出機構により繰り出されたハイブリッド紙幣等の特殊紙葉類を収納部に適切に収納したり当該収納部から特殊紙葉類を適切に繰り出したりすることができる紙葉類繰出装置および紙葉類処理機を提供する。【解決手段】紙葉類繰出装置（例えば、投入部１２）において、載置部２０１には、繰出機構（例えば、紙幣繰出機構１２ａ）による紙葉類（例えば、紙幣）の繰出方向に対して直交する方向である幅方向に沿って並ぶよう一対の案内部材２１０、２１２が互いに離間して配置されており、一対の案内部材２１０、２１２の間に紙葉類が載置されるようになっている。また、一対の案内部材２１０、２１２は、幅方向における載置部２０１の略中央位置からの距離を異ならせるよう載置部２０１に配置可能となっている。【選択図】図１
2018070271.tif 000002
【特許請求の範囲】
【請求項１】
紙葉類処理機の外部から内部に紙葉類を繰り出すための紙葉類繰出装置であって、
複数の紙葉類が積層状態で載置される載置部と、
前記載置部に載置された紙葉類を１枚ずつ前記紙葉類処理機の内部に繰り出す繰出機構と、
を備え、
前記載置部には、前記繰出機構による紙葉類の繰出方向に対して直交する方向である幅方向に沿って並ぶよう一対の案内部材が互いに離間して配置されており、一対の前記案内部材の間に紙葉類が載置されるようになっており、
一対の前記案内部材は、前記幅方向における前記載置部の略中央位置からの距離を異ならせるよう前記載置部に配置可能となっている、紙葉類繰出装置。
【請求項２】
一対の前記案内部材のうち一方の前記案内部材の位置は固定されており、他方の前記案内部材の位置を前記幅方向に沿って変えることができるようになっている、請求項１記載の紙葉類繰出装置。
【請求項３】
一対の前記案内部材の各々を他の前記案内部材から独立して前記幅方向に沿って移動させることができるようになっている、請求項１記載の紙葉類繰出装置。
【請求項４】
一対の前記案内部材のうち少なくとも一方の前記案内部材を自動で移動させることができるようになっている、請求項２または３記載の紙葉類繰出装置。
【請求項５】
指定された情報に基づいて、一対の前記案内部材のうち少なくとも一方の前記案内部材を自動で移動させることができるようになっている、請求項４記載の紙葉類繰出装置。
【請求項６】
前記案内部材の位置決めを行う目安となる目印が設けられている、請求項１乃至５のいずれか一項に記載の紙葉類繰出装置。
【請求項７】
請求項１乃至６のいずれか一項に記載の紙葉類繰出装置と、
前記紙葉類繰出装置により繰り出された紙葉類が収納される収納部と、
を備え、
前記収納部における特定部材の前記幅方向の位置に応じて、一対の前記案内部材の位置が設定されるようになっている、紙葉類処理機。
【請求項８】
前記収納部は、紙葉類巻取用回転体の外周面上に紙葉類を巻き取る帯状の巻取部材を前記特定部材として有しており、
前記紙葉類繰出装置により繰り出されるべき紙葉類の所定の特徴部分の前記幅方向における位置が前記収納部の前記巻取部材の前記幅方向における位置と少なくとも一部分が重なるよう、一対の前記案内部材の前記幅方向における位置が設定される、請求項７記載の紙葉類処理機。
【請求項９】
前記収納部は、当該収納部に積層状態で収納されている紙葉類をこの収納部から繰り出すための繰出部材を前記特定部材として有しており、
前記紙葉類繰出装置により繰り出されるべき紙葉類の所定の特徴部分の前記幅方向における位置が前記収納部の前記繰出部材の前記幅方向における位置からずれるよう、一対の前記案内部材の前記幅方向における位置が設定される、請求項７記載の紙葉類処理機。
【請求項１０】
紙葉類の前記所定の特徴部分は、紙幣における紙部分以外の材質部分である、請求項８または９記載の紙葉類処理機。
【請求項１１】
前記紙葉類繰出装置により繰り出された紙葉類の識別を行う識別部を更に備え、
前記識別部により識別された紙葉類の前記所定の特徴部分の前記幅方向における位置が所定の位置ではない場合には当該紙葉類は前記紙葉類処理機から投出されるようになっている、請求項８乃至１０のいずれか一項に記載の紙葉類処理機。
【請求項１２】
前記識別部により識別された紙葉類の前記所定の特徴部分の前記幅方向における位置が所定の位置ではない場合にこのことを操作者に報知するための報知部を更に備えた、請求項１１記載の紙葉類処理機。
【請求項１３】
前記所定の特徴部分の前記幅方向における位置が所定の位置ではないと前記識別部により判断された紙葉類と、それ以外の紙葉類とを区別して前記紙葉類処理機から投出する、請求項１１または１２記載の紙葉類処理機。
【請求項１４】
前記紙葉類繰出装置により繰り出された紙葉類の識別を行う識別部を更に備え、
前記識別部により識別された紙葉類の表裏の向きが所定の向きではない場合には当該紙葉類は前記紙葉類処理機から投出されるようになっている、請求項８乃至１０のいずれか一項に記載の紙葉類処理機。
【請求項１５】
前記識別部により識別された紙葉類の表裏の向きが所定の向きではない場合にこのことを操作者に報知するための報知部を更に備えた、請求項１４記載の紙葉類処理機。
【請求項１６】
紙葉類の表裏の向きが所定の向きではないと前記識別部により判断された紙葉類と、それ以外の紙葉類とを区別して前記紙葉類処理機から投出する、請求項１４または１５記載の紙葉類処理機。
【請求項１７】
前記紙葉類繰出装置により繰り出された紙葉類の識別を行う識別部を更に備え、
前記識別部により識別された紙葉類の短手方向の向きが所定の向きではない場合には当該紙葉類は前記紙葉類処理機から投出されるようになっている、請求項８乃至１０のいずれか一項に記載の紙葉類処理機。
【請求項１８】
請求項１乃至６のいずれか一項に記載の紙葉類繰出装置と、
前記紙葉類繰出装置により繰り出された紙葉類が集積される集積部と、
を備え、
前記集積部における特定部材の前記幅方向の位置に応じて、一対の前記案内部材の位置が設定されるようになっている、紙葉類処理機。
【請求項１９】
前記集積部は、羽根間に紙葉類を受け入れて当該羽根間に受け入れられた紙葉類を前記集積部に整列させる羽根車を前記特定部材として有しており、
前記紙葉類繰出装置により繰り出されるべき紙葉類の所定の特徴部分の前記幅方向における位置が前記集積部の前記羽根車の前記幅方向における位置からずれるよう、一対の前記案内部材の前記幅方向における位置が設定される、請求項１８記載の紙葉類処理機。
【請求項２０】
前記紙葉類繰出装置により繰り出された紙葉類の識別を行う識別部と、
前記識別部により正常な紙葉類ではないと識別された紙葉類が集積されるリジェクト部と、
を更に備え、
前記識別部により識別された紙葉類の前記所定の特徴部分の前記幅方向における位置が所定の位置ではない場合には当該紙葉類は前記リジェクト部に送られるようになっている、請求項１９記載の紙葉類処理機。
【発明の詳細な説明】
【技術分野】
【０００１】
本発明は、紙葉類処理機の筐体の外部から内部に紙葉類を繰り出すための紙葉類繰出装置およびこのような紙葉類繰出装置を備えた紙葉類処理機に関する。
【背景技術】
【０００２】
紙幣をホッパに受け入れて、受け入れた紙幣の金種を識別するとともに計数して、受け入れた紙幣の合計金額または金種毎の枚数を計算する紙幣識別計数機として例えば特許文献１に開示されるものが従来から知られている。特許文献１に開示される紙幣識別計数機では、紙幣の投入口に設けられたホッパにおいてサイドホッパ部材が左右対称に配置されており、操作者は紙幣識別計数機の筐体の外部から内部に紙幣を投入する際にこれらの一対のサイドホッパ部材の間に紙幣の束を積層状態で載置するようになっている。ここで、一対のサイドホッパ部材は、ホッパの幅方向における中央位置に対して常に対称となるよう（すなわち、ホッパの幅方向における中央位置からの距離が常に同じ大きさとなるよう）、互いに接近する方向および互いから遠ざかる方向にそれぞれ一体的に移動するようになっている。
【０００３】
また、従来の紙幣処理機において、紙幣を１枚ずつ帯状のテープによりドラム等の回転体の外周面上に巻き取ることにより複数の紙幣を収納するとともに当該テープを回転体から巻き戻すことによりこの回転体の外周面上に巻き取られている紙幣を１枚ずつ巻き戻すような紙幣収納繰出部が筐体内に複数設置される場合がある。このような紙幣処理機では、ホッパにより筐体の内部に投入され、識別部により識別された紙幣は例えば金種毎に紙幣収納繰出部に収納されるようになる。このような従来の紙幣処理機において一時保留部が設けられる場合に、当該一時保留部の構成が上記の紙幣収納繰出部の構成と略同一であるときには、ホッパにより筐体の内部に投入され、識別部により識別された紙幣は、上記の紙幣収納繰出部と同様の構成である一時保留部に一時的に保留されるようになる。
【先行技術文献】
【特許文献】
【０００４】
【特許文献１】国際特許出願公開公報ＷＯ２００６／０４０８３３Ａ１
【発明の概要】
【発明が解決しようとする課題】
【０００５】
近年では、一部の国や地域において、紙とポリマーフィルムとを組み合わせたようなハイブリッド紙幣が使用され始めている。具体的には、ポリマーフィルムが紙幣の一部分に貼り付けられることによりハイブリッド紙幣が形成されるようになっている。あるいは、紙幣の短手方向に沿って直線状に延びるポリマーフィルムを一対の紙片により挟むことによりハイブリッド紙幣が形成されるようになっていてもよい。しかしながら、ハイブリッド紙幣におけるポリマーフィルムは紙片よりもコシが強く、また、ポリマーフィルムの厚さは紙片の厚さよりも大きいため、従来の紙幣処理機において上記の紙幣収納繰出部が用いられる場合には、当該紙幣収納繰出部においてハイブリッド紙幣の収納動作や繰出動作を行う際に様々な問題が生じるおそれがある。
【０００６】
具体的には、ハイブリッド紙幣におけるポリマーフィルムは紙片よりもコシが強いため、紙幣収納繰出部において帯状のテープによりハイブリッド紙幣をドラム等の回転体の外周面上に巻き取る際に、紙のみにより形成される紙幣を帯状のテープにより回転体の外周面上に巻き取る場合と比較して、テープがハイブリッド紙幣を回転体の外周面上に向かって締め付ける力が弱くなってしまうという問題がある。また、帯状のテープがドラム等の回転体の軸方向に沿って並ぶよう複数設けられている場合には、複数のテープのうちハイブリッド紙幣のポリマーフィルムに近い側のテープによる締付力は、複数のテープのうち当該ポリマーフィルムから遠い側のテープによる締付力よりも弱くなってしまう。この場合には、回転体の外周面に複数のハイブリッド紙幣が巻き取られた際に当該ハイブリッド紙幣のポリマーフィルムに近い側のテープの箇所が回転体の外方に膨らんでしまうため、この回転体の軸に対して直交する方向から見て、各テープにより回転体の外周面に巻き取られた複数のハイブリッド紙幣がいわゆる円錐状となってしまい、回転体に収納されたハイブリッド紙幣の位置が当該回転体の軸方向にずれてしまうおそれがある。
【０００７】
このような状態について図２１を用いて説明する。図２１に示すように、回転体（具体的には、ドラム）５００の外周面に複数のハイブリッド紙幣（図２１において参照符号Ｐで表示）が巻き取られた際に、当該ハイブリッド紙幣のポリマーフィルム部分（図２１において参照符号Ｐ２で表示）に近い側のテープの箇所が回転体の外方に膨らんでしまう。このため、回転体５００を手前側から見て、各テープにより回転体５００の外周面に巻き取られた複数のハイブリッド紙幣が図２１に示すような円錐状となってしまう。この場合には、回転体５００に収納されたハイブリッド紙幣の位置が当該回転体５００の軸方向にずれてしまうおそれがある。
【０００８】
また、複数の紙幣が積層状態で集積されるようなカセット式の収納繰出部が紙幣処理機において用いられる場合には、当該収納繰出部における左右一対の繰出ローラにより当該収納繰出部に収納されている紙幣を１枚ずつこの収納繰出部から繰り出す際に、一方の繰出ローラにハイブリッド紙幣におけるポリマーフィルムが接触するとともに他方の繰出ローラにハイブリッド紙幣における紙片が接触したときに、繰出ローラに対するポリマーフィルムおよび紙片の摩擦係数が異なるため一対の繰出ローラにより繰り出されたハイブリッド紙幣が斜行してしまうおそれがある。
【０００９】
本発明は、このような点を考慮してなされたものであり、繰出機構により繰り出されたハイブリッド紙幣等の特殊紙葉類を収納部に適切に収納したり当該収納部から特殊紙葉類を適切に繰り出したりすることができる紙葉類繰出装置および紙葉類処理機を提供することを目的とする。
【課題を解決するための手段】
【００１０】
本発明の紙葉類繰出装置は、紙葉類処理機の外部から内部に紙葉類を繰り出すための紙葉類繰出装置であって、複数の紙葉類が積層状態で載置される載置部と、前記載置部に載置された紙葉類を１枚ずつ前記紙葉類処理機の内部に繰り出す繰出機構と、を備え、前記載置部には、前記繰出機構による紙葉類の繰出方向に対して直交する方向である幅方向に沿って並ぶよう一対の案内部材が互いに離間して配置されており、一対の前記案内部材の間に紙葉類が載置されるようになっており、一対の前記案内部材は、前記幅方向における前記載置部の略中央位置からの距離を異ならせるよう前記載置部に配置可能となっていることを特徴とする。
【００１１】
このような紙葉類繰出装置によれば、繰出機構により繰り出されたハイブリッド紙幣等の特殊紙葉類を収納部に適切に収納したり当該収納部から特殊紙葉類を適切に繰り出したりすることができる。
【００１２】
本発明の紙葉類繰出装置においては、一対の前記案内部材のうち一方の前記案内部材の位置は固定されており、他方の前記案内部材の位置を前記幅方向に沿って変えることができるようになっていてもよい。
【００１３】
あるいは、一対の前記案内部材の各々を他の前記案内部材から独立して前記幅方向に沿って移動させることができるようになっていてもよい。
【００１４】
また、一対の前記案内部材のうち少なくとも一方の前記案内部材を自動で移動させることができるようになっていてもよい。
【００１５】
この場合、指定された情報に基づいて、一対の前記案内部材のうち少なくとも一方の前記案内部材を自動で移動させることができるようになっていてもよい。
【００１６】
本発明の紙葉類繰出装置においては、前記案内部材の位置決めを行う目安となる目印が設けられていてもよい。
【００１７】
本発明の紙葉類処理機は、上記の紙葉類繰出装置と、前記紙葉類繰出装置により繰り出された紙葉類が収納される収納部と、を備え、前記収納部における特定部材の前記幅方向の位置に応じて、一対の前記案内部材の位置が設定されるようになっていることを特徴とする。
【００１８】
このような紙葉類処理機によれば、紙葉類繰出装置の繰出機構により繰り出されたハイブリッド紙幣等の特殊紙葉類を収納部に適切に収納したり当該収納部から特殊紙葉類を適切に繰り出したりすることができる。
【００１９】
本発明の紙葉類処理機においては、前記収納部は、紙葉類巻取用回転体の外周面上に紙葉類を巻き取る帯状の巻取部材を前記特定部材として有しており、前記紙葉類繰出装置により繰り出されるべき紙葉類の所定の特徴部分の前記幅方向における位置が前記収納部の前記巻取部材の前記幅方向における位置と少なくとも一部分が重なるよう、一対の前記案内部材の前記幅方向における位置が設定されるようになっていてもよい。
【００２０】
あるいは、前記収納部は、当該収納部に積層状態で収納されている紙葉類をこの収納部から繰り出すための繰出部材を前記特定部材として有しており、前記紙葉類繰出装置により繰り出されるべき紙葉類の所定の特徴部分の前記幅方向における位置が前記収納部の前記繰出部材の前記幅方向における位置からずれるよう、一対の前記案内部材の前記幅方向における位置が設定されるようになっていてもよい。
【００２１】
また、紙葉類の前記所定の特徴部分は、紙幣における紙部分以外の材質部分であってもよい。
【００２２】
また、本発明の紙葉類処理機は、前記紙葉類繰出装置により繰り出された紙葉類の識別を行う識別部を更に備え、前記識別部により識別された紙葉類の前記所定の特徴部分の前記幅方向における位置が所定の位置ではない場合には当該紙葉類は前記紙葉類処理機から投出されるようになっていてもよい。
【００２３】
この場合、上記の紙葉類処理機は、前記識別部により識別された紙葉類の前記所定の特徴部分の前記幅方向における位置が所定の位置ではない場合にこのことを操作者に報知するための報知部を更に備えていてもよい。
【００２４】
また、前記所定の特徴部分の前記幅方向における位置が所定の位置ではないと前記識別部により判断された紙葉類と、それ以外の紙葉類とを区別して前記紙葉類処理機から投出するようになっていてもよい。
【００２５】
また、上記の紙葉類処理機は、前記紙葉類繰出装置により繰り出された紙葉類の識別を行う識別部を更に備え、前記識別部により識別された紙葉類の表裏の向きが所定の向きではない場合には当該紙葉類は前記紙葉類処理機から投出されるようになっていてもよい。
【００２６】
この場合、上記の紙葉類処理機は、前記識別部により識別された紙葉類の表裏の向きが所定の向きではない場合にこのことを操作者に報知するための報知部を更に備えていてもよい。
【００２７】
また、紙葉類の表裏の向きが所定の向きではないと前記識別部により判断された紙葉類と、それ以外の紙葉類とを区別して前記紙葉類処理機から投出するようになっていてもよい。
【００２８】
また、上記の紙葉類処理機は、前記紙葉類繰出装置により繰り出された紙葉類の識別を行う識別部を更に備え、前記識別部により識別された紙葉類の短手方向の向きが所定の向きではない場合には当該紙葉類は前記紙葉類処理機から投出されるようになっていてもよい。
【００２９】
本発明の紙葉類処理機は、上記の紙葉類繰出装置と、前記紙葉類繰出装置により繰り出された紙葉類が集積される集積部と、を備え、前記集積部における特定部材の前記幅方向の位置に応じて、一対の前記案内部材の位置が設定されるようになっていることを特徴とする。
【００３０】
このような紙葉類処理機によれば、紙葉類繰出装置の繰出機構により繰り出されたハイブリッド紙幣等の特殊紙葉類を集積部に適切に集積させることができる。
【００３１】
上記の紙葉類処理機においては、前記集積部は、羽根間に紙葉類を受け入れて当該羽根間に受け入れられた紙葉類を前記集積部に整列させる羽根車を前記特定部材として有しており、前記紙葉類繰出装置により繰り出されるべき紙葉類の所定の特徴部分の前記幅方向における位置が前記集積部の前記羽根車の前記幅方向における位置からずれるよう、一対の前記案内部材の前記幅方向における位置が設定されるようになっていてもよい。
【００３２】
この場合、上記の紙葉類処理機は、前記紙葉類繰出装置により繰り出された紙葉類の識別を行う識別部と、前記識別部により正常な紙葉類ではないと識別された紙葉類が集積されるリジェクト部と、を更に備え、前記識別部により識別された紙葉類の前記所定の特徴部分の前記幅方向における位置が所定の位置ではない場合には当該紙葉類は前記リジェクト部に送られるようになっていてもよい。
【発明の効果】
【００３３】
本発明の紙葉類処理機および紙葉類処理方法によれば、繰出機構により繰り出されたハイブリッド紙幣等の特殊紙葉類を収納部に適切に収納したり当該収納部から特殊紙葉類を適切に繰り出したりすることができる。
【図面の簡単な説明】
【００３４】
【図１】本発明の実施の形態による紙幣処理機の構成の一例を示す概略構成図である。
【図２】図１に示す紙幣処理機の制御系の構成を示す機能ブロック図である。
【図３】図１に示す紙幣処理機により処理されるハイブリッド紙幣の構成を示す説明図である。
【図４】図１に示す紙幣処理機における一時保留部の構成を示す側面図であって、ドラムに紙幣が巻き取られていないときの状態を示す図である。
【図５】図１に示す紙幣処理機における一時保留部の構成を示す側面図であって、ドラムへのテープおよび紙幣の巻き取り量が最大となる最大巻き取り状態を示す図である。
【図６】図４および図５に示す一時保留部におけるドラム近傍の各構成部材を示す斜視図である。
【図７】図１に示す紙幣処理機により紙幣の入金処理が行われるときの動作を示すフローチャートである。
【図８Ａ】図１に示す紙幣処理機の識別部によるハイブリッド紙幣のポリマーフィルム部分の幅方向における位置の検知方法を示す説明図である。
【図８Ｂ】図４乃至図６に示す一時保留部においてテープの締め付け動作を行う際における駆動モータの回転速度の経時的な変化を示すタイミングチャートである。
【図９】図１に示す紙幣処理機における投入部の構成の詳細を示す斜視図である。
【図１０】図９に示す投入部の正面図である。
【図１１】図１に示す紙幣処理機において、ハイブリッド紙幣のポリマーフィルム部分の幅方向における位置が一時保留部のテープの幅方向における位置と少なくとも一部分が重なるよう、図９および図１０に示す投入部における一対の案内部材によりハイブリッド紙幣の幅方向における位置を調整する方法を示す説明図である。
【図１２】図１に示す紙幣処理機において、ハイブリッド紙幣のポリマーフィルム部分の幅方向における位置が紙幣収納庫の繰出ローラの幅方向における位置からずれるよう、図９および図１０に示す投入部における一対の案内部材によりハイブリッド紙幣の幅方向における位置を調整する方法を示す説明図である。
【図１３】変形例に係る一時保留部におけるリールの近傍の各構成部材を示す斜視図である。
【図１４】変形例に係る紙幣処理機の構成を示す概略構成図である。
【図１５】別の変形例に係る一時保留部の構成を示す側面図である。
【図１６】一時保留部における別の構成のドラムを示す構成図である。
【図１７】一時保留部における更に別の構成のドラムを示す構成図である。
【図１８】別の変形例に係る紙幣計数機の構成を示す斜視図である。
【図１９】図１８に示す紙幣計数機の内部構成を示す概略構成図である。
【図２０】図１８に示す紙幣計数機において、ハイブリッド紙幣のポリマーフィルム部分の幅方向における位置が集積部に設けられた羽根車の幅方向における位置からずれるよう、投入部における一対の案内部材によりハイブリッド紙幣の幅方向における位置を調整する方法を示す説明図である。
【図２１】従来技術において、各テープにより回転体の外周面に巻き取られた複数のハイブリッド紙幣が円錐状となったときの状態を示す図である。
【発明を実施するための形態】
【００３５】
以下、図面を参照して本発明の実施の形態について説明する。図１乃至図１２は、本実施の形態に係る紙幣処理機および紙幣処理方法を示す図である。このうち、図１は、本実施の形態による紙幣処理機の構成の一例を示す概略構成図であり、図２は、図１に示す紙幣処理機の制御系の構成を示す機能ブロック図である。また、図３は、図１に示す紙幣処理機により処理されるハイブリッド紙幣の説明図である。また、図４および図５は、それぞれ、図１に示す紙幣処理機における一時保留部の構成を示す側面図であり、図６は、図４および図５に示す一時保留部におけるドラム近傍の各構成部材を示す斜視図である。また、図７は、図１に示す紙幣処理機により紙幣の入金処理が行われるときの動作を示すフローチャートである。また、図８Ａは、図１に示す紙幣処理機の識別部によるハイブリッド紙幣のポリマーフィルム部分の幅方向における位置の検知方法を示す説明図である。また、図８Ｂは、図４乃至図６に示す一時保留部においてテープの締め付け動作を行う際における駆動モータの回転速度の経時的な変化を示すタイミングチャートである。また、図９および図１０は、それぞれ、図１に示す紙幣処理機における投入部の構成を示す斜視図や正面図である。また、図１１および図１２は、それぞれ、図９および図１０に示す投入部における一対の案内部材によりハイブリッド紙幣の幅方向における位置を調整する方法を示す説明図である。
【００３６】
図１に示すように、本実施の形態による紙幣処理機１０は、略直方体形状の筐体１１と、筐体１１の外部から内部に紙幣を投入するための投入部１２と、筐体１１の内部から外部に紙幣を投出するための投出部１４を備えている。また、紙幣処理機１０の筐体１１内には、紙幣を１枚ずつ搬送する搬送部１６が設けられている。投入部１２は、操作者により複数の紙幣が積層状態で載置されるホッパ等からなり、当該投入部１２には、載置された紙幣を１枚ずつ筐体１１の内部に繰り出して搬送部１６に送る紙幣繰出機構１２ａが設けられている。このような構成により、投入部１２に載置された紙幣は紙幣繰出機構１２ａにより筐体１１の内部に１枚ずつ繰り出されて搬送部１６に送られた後、当該搬送部１６により筐体１１内で１枚ずつ搬送されるようになる。本実施の形態では、投入部１２には紙幣の束が短手方向に沿って投入されるようになっており、搬送部１６は、紙幣をその短手方向に沿って搬送するようになっている。本実施の形態における投入部１２の構成の詳細については後述する。
【００３７】
また、搬送部１６には識別部１８が設けられており、この識別部１８によって、搬送部１６により搬送される紙幣の金種、真偽、表裏、正損、新旧、搬送状態等の識別が行われるようになっている。また、搬送部１６には一時保留部２０が接続されており、識別部１８により識別が行われた紙幣は搬送部１６により一時保留部２０に送られ、当該一時保留部２０において一時的に保留されるようになっている。このような一時保留部２０の構成の詳細については後述する。
【００３８】
また、図１に示すように、紙幣処理機１０の筐体１１内において複数（図１に示す例では４つ）の紙幣収納庫３０が並列に設けられており、各紙幣収納庫３０はそれぞれ搬送部１６に接続されている。各紙幣収納庫３０には複数の紙幣が積層状態で集積されるようになっている。また、各紙幣収納庫３０には紙幣が金種毎に収納されるようになっている。このような構成により、識別部１８による紙幣の識別結果に基づいて、一時保留部２０に一時的に保留されている紙幣が当該一時保留部２０から搬送部１６に繰り出されてこの搬送部１６により各紙幣収納庫３０に金種毎に送られるようになる。また、各紙幣収納庫３０には、当該紙幣収納庫３０に収納されている紙幣を１枚ずつ搬送部１６に繰り出すための紙幣繰出機構３２が設けられている。
【００３９】
また、図１に示すように、紙幣処理機１０の筐体１１内には紙幣収納カセット４０が着脱自在に装着されるようになっている。ここで、紙幣収納カセット４０には複数の紙幣が積層状態で集積されるようになっている。また、筐体１１に紙幣収納カセット４０が装着されたときに、搬送部１６から当該紙幣収納カセット４０に紙幣が送られるようになっている。紙幣収納カセット４０に紙幣が収納された後、この紙幣収納カセット４０を筐体１１から取り出すことにより、操作者は紙幣処理機１０から紙幣を紙幣収納カセット４０ごと回収することができるようになる。また、紙幣収納カセット４０には、当該紙幣収納カセット４０が筐体１１内に装着されたときにこの紙幣収納カセット４０に収納されている紙幣を１枚ずつ搬送部１６に繰り出すための紙幣繰出機構４２が設けられている。このような構成により、紙幣が収納されている紙幣収納カセット４０を筐体１１内に装着することによって当該紙幣収納カセット４０から各紙幣収納庫３０に紙幣を補充することができるようになる。
【００４０】
次に、本実施の形態の紙幣処理機１０に設けられた一時保留部２０の構成の詳細について図４乃至図６を用いて説明する。なお、図４は、図１に示す紙幣処理機１０における一時保留部２０の構成を示す側面図であって、ドラム１３７に紙幣が巻き取られていないときの状態を示す図であり、図５は、図１に示す紙幣処理機１０における一時保留部２０の構成を示す側面図であって、ドラム１３７へのテープ１３６および紙幣の巻き取り量が最大となる最大巻き取り状態を示す図である。また、図６は、図４および図５に示す一時保留部２０におけるドラム１３７の近傍の各構成部材を示す斜視図である。なお、本実施の形態では、一時保留部２０は、紙幣を収納するとともに収納されている紙幣を繰り出すことができる紙幣収納繰出装置として機能するようになっている。また、図４において、一時保留部２０に送られる前の紙幣や一時保留部２０から繰り出された後の紙幣を参照符号Ｐで示している。
【００４１】
図４乃至図６に示すように、一時保留部２０は、両側の側板１３０およびこれら側板１３０を連結する複数の連結部材１３１を含む直方体形状のフレーム１３２を有している。
【００４２】
このフレーム１３２の一面は、搬送部１６に対向して当該搬送部１６の一部を構成する通路面として形成されており、この通路面には、搬送部１６に対して紙幣（図４において参照符号Ｐで表示）を出し入れする出入口１３５が開口形成されている。
【００４３】
フレーム１３２の両側板１３０間には、テープ１３６の一端が取り付けられた円筒状のドラム１３７、テープ１３６の他端が取り付けられた円盤状のリール１３８、搬送部１６により搬送される紙幣を出入口１３５に取り込んだり出入口１３５から搬送部１６に繰り出される紙幣を案内したりする分岐レバー１３９、出入口１３５に接続された紙幣搬送用の搬送機構１４０、およびこの搬送機構１４０とドラム１３７の周面との間でテープ１３６および紙幣をガイドする揺動可能なガイド体１４１等が配設されている。
【００４４】
ドラム１３７は側板１３０の略中央域に配置され、リール１３８は出入口１３５および搬送機構１４０の側部に並んで配置され、ガイド体１４１はドラム１３７とリール１３８との間に揺動可能に配置されている。
【００４５】
搬送機構１４０により、出入口１３５からドラム１３７へ向けた方向に沿って延びており出入口１３５とガイド体１４１とを接続する固定通路１４２が形成されている。ガイド体１４１には、テープ１３６および紙幣をガイドするガイド通路１４３が形成されている。このガイド通路１４３は、ガイド体１４１が揺動するので揺動通路１４４として構成されている。
【００４６】
そして、搬送部１６から送られた紙幣を一時保留部２０に一時的に保留する際には、出入口１３５から紙幣を取り込み、搬送機構１４０およびガイド体１４１を通じてドラム１３７へ搬送し、テープ１３６とともに紙幣をドラム１３７に巻き取って当該ドラム１３７に紙幣を収納するようになっている。また、一時保留部２０に一時的に保留されている紙幣を搬送部１６に繰り出す際には、リール１３８へのテープ１３６の巻き取りにより、つまりドラム１３７からのテープ１３６の巻き戻しにより、ドラム１３７から紙幣をガイド体１４１に巻き戻し、搬送機構１４０を通じて出入口１３５に繰り出すようになっている。
【００４７】
また、テープ１３６は、その幅が、紙幣の搬送方向に対して交差する幅つまり紙幣の長手方向の幅（以下、単に、紙幣の幅という）より小さく形成されている。図６に示すように、テープ１３６は、２本用いられ、ドラム１３７およびリール１３８の軸方向に間隔を開けて並列に配置されている。そのため、２本のテープ１３６は紙幣の幅方向の２箇所を押さえた状態でドラム１３７に巻き取られ、巻き取り状態では２本のテープ１３６間および２本のテープ１３６の両側から紙幣の幅方向の中央部分および両側部分がそれぞれ露出する状態となる。
【００４８】
テープ１３６は、所定量以上の光透過性を有する例えば透明なフィルム材料で形成されており、ドラム１３７に取り付けられる一端域には、ドラム１３７からの巻き戻し限度を検知するための所定量以上の光透過性を有さない例えば不透明部が設けられている。また、リール１３８に取り付けられる他端域にも、ドラム１３７への巻き取り限度を検知するための所定量以上の光透過性を有さない例えば不透明部が設けられている。これら不透明部は、例えば不透明なシールで構成され、２本のテープ１３６のそれぞれに貼り付けられている。
【００４９】
なお、ドラム１３７およびリール１３８に巻き取った際に内径側となるテープ１３６の面を第１の面１３６ａと呼び、外径側となる面を第２の面１３６ｂと呼ぶ。
【００５０】
また、ドラム１３７は、リール１３８に比べて大径の円筒状で、両側板１３０に回転自在に軸支されたドラム軸１４７を中心として固定位置で円周方向に回転可能となっている。また、図６に示すように、ドラム１３７の内側には当該ドラム１３７を回転させる駆動モータ１４８が配置されており、この駆動モータ１４８が一側の側板１３０に取り付けられている。
【００５１】
リール１３８は、両側板１３０に回転可能に軸支されたリール軸１４９にトルクリミッタ（図示せず）を介して取り付けられており、リール軸１４９を中心として固定位置で円周方向に回転可能としている。
【００５２】
一側の側板１３０の外側には、ドラム１３７からリール１３８に回転駆動力を伝達する伝達機構（図示せず）が配設されているとともに、ドラム１３７の回転量を検知する回転量検知部１５１（図６参照）が配設されている。伝達機構は、リール１３８をテープ１３６の巻取方向に回転させるときにはリール軸１４９に回転駆動力を伝達し、リール１３８をテープ１３６の巻き戻し方向に回転させるときにはリール軸１４９に回転駆動力を伝達しないワンウェイクラッチを有している。
【００５３】
そして、搬送部１６から送られた紙幣を一時保留部２０に一時的に保留する際において、駆動モータ１４８でドラム１３７をテープ１３６の巻取方向に回転駆動するときには、ワンウェイクラッチによってリール１３８に回転駆動力が伝達されず、ドラム１３７に巻き取られるテープ１３６がトルクリミッタに抗してリール１３８から引き出される。また、一時保留部２０に一時的に保留されている紙幣を搬送部１６に繰り出す際において、駆動モータ１４８がドラム１３７をテープ１３６の巻取方向とは逆方向である巻き戻し方向に回転駆動する際には、ワンウェイクラッチを介してリール１３８に回転駆動力が伝達され、当該リール１３８がテープ１３６の巻取方向に回転する。このとき、リール１３８でテープ１３６を巻き取る速度がドラム１３７からテープ１３６を巻き戻す速度よりも常に速くなるように、トルクリミッタを介してリール１３８へ回転駆動力を伝達することにより、リール１３８でテープ１３６をたるみなく巻き取れるようになる。
【００５４】
また、分岐レバー１３９は、レバー軸１５３を支点として揺動可能とし、ステッピングモータまたはソレノイドの駆動により搬送部１６に対して進退するようになっている。そして、分岐レバー１３９が搬送部１６に進出することにより、搬送部１６により搬送される紙幣を出入口１３５に取り込んだり紙幣を出入口１３５から搬送部１６に繰り出したりし、一方、分岐レバー１３９が搬送部１６から退避することにより、搬送部１６内を搬送する紙幣の通過を許容するようになっている。
【００５５】
また、搬送機構１４０は、一対のベルト１５５ａ、１５５ｂ、およびこれらベルト１５５ａ、１５５ｂを固定通路１４２および揺動通路１４４の両側に沿って回転可能に張設するとともにベルト１５５ａ、１５５ｂの表面を互いに接触させる複数のプーリ１５６ａ、１５６ｂ、１５７ａ、１５７ｂ、１５８を有している。複数のプーリ１５６ａ、１５６ｂ、１５７ａ、１５７ｂ、１５８のうち、固定通路１４２側に配置されるプーリ１５６ａ、１５６ｂは、出入口１３５の両側で、両側の側板１３０に対して固定位置で回転可能に軸支される。また、揺動通路１４４側に配置されるプーリ１５７ａ、１５７ｂは、ガイド体１４１に回転可能に軸支されていてガイド体１４１と一緒に揺動する。また、一方のベルト１５５ａの中間部に配置されるプーリ１５８は、出入口１３５よりドラム１３７に寄った位置で、両側の側板１３０に対して固定位置で回転可能に軸支されている。
【００５６】
プーリ１５８のプーリ軸１５９は、揺動するガイド体１４１の支点１４１ａとなっている。ここで、出入口１３５から支点１４１ａ付近までが固定通路１４２として形成され、支点１４１ａ付近からガイド体１４１内までが揺動通路１４４として形成されている。また、固定通路１４２には、紙幣をガイドする固定ガイド１６０が配設されている。
【００５７】
プーリ１５６ｂの軸にはギヤ１６１（図６参照）が取り付けられており、このギヤ１６１が紙幣処理機１０の本体部分に配置された駆動機構のギヤに噛合し、駆動機構からギヤ１６１を通じてベルト１５５ｂに回転駆動力が伝達される。また、ギヤ１６１からは伝達手段１６２を介してプーリ１５８のプーリ軸１５９に回転駆動力が伝達され、これにより、ベルト１５５ａに回転駆動力が伝達される。
【００５８】
また、ガイド体１４１は、第１のガイド部材１６４と第２のガイド部材１６５とを有しており、これら第１のガイド部材１６４および第２のガイド部材１６５の両側が支持部材１６６（図６参照）によって一体に連結され、これらの両側の支持部材１６６がプーリ軸１５９に揺動可能に支持されている。すなわち、上述したように、ガイド体１４１が支点１４１ａを中心として揺動可能に支持されている。
【００５９】
第１のガイド部材１６４と第２のガイド部材１６５とが互いに対向する内面を通路面とし、これらの通路面の間にテープ１３６および紙幣をガイドするガイド通路１４３が形成されている。すなわち、これらの通路面の間には、支点１４１ａを中心として揺動する揺動通路１４４が形成されている。
【００６０】
図５に示すように、ガイド体１４１の形状すなわち第１のガイド部材１６４および第２のガイド部材１６５の形状、ならびにガイド通路１４３および揺動通路１４４の形状は、ドラム１３７へのテープ１３６および紙幣の巻き取り量が最大となる最大巻き取り状態での最大外径部（図５において参照符号１３７ｐで表示）に沿った湾曲形状に形成されている。
【００６１】
第１のガイド部材１６４の支点１４１ａとは反対の先端側には、第２のガイド部材１６５の支点１４１ａとは反対の先端側より長く延長された延長部１６４ａが形成されている。この第１のガイド部材１６４の延長部１６４ａには、ドラム１３７に巻き取られるテープ１３６の接点（図４および図５において参照符号Ｓで表示）よりも巻取方向の下流側で、２本のテープ１３６間を通じてドラム１３７またはドラム１３７に巻き取られた紙幣に直接接触する接触ローラ１６７が配置されている。
【００６２】
接触ローラ１６７は、第１の接触ローラ１６７ａと第２の接触ローラ１６７ｂとから構成されている。第１の接触ローラ１６７ａは、ドラム１３７へのテープ１３６および紙幣の巻き取り量が所定量より少ない巻き取り状態での外径が所定外径より小さいときに、ドラム１３７に巻き取られた紙幣に接触する。第２の接触ローラ１６７ｂは、ドラム１３７へのテープ１３６および紙幣の巻き取り量が所定量より多い巻き取り状態での外径が所定外径より大きいときに、ドラム１３７に巻き取られた紙幣に接触する。なお、これら第１の接触ローラ１６７ａおよび第２の接触ローラ１６７ｂとも、ドラム１３７に巻き取られるテープ１３６の接点Ｓよりも巻取方向の下流側に接触する。
【００６３】
ガイド体１４１の第２のガイド部材１６５とフレーム１３２との間には、ガイド体１４１がドラム１３７に向けて接近するように付勢する付勢手段としてのスプリング１６８が張設されている。このスプリング１６８の付勢により、接触ローラ１６７がドラム１３７側に常に押し付けられている。
【００６４】
したがって、ガイド体１４１は、支点１４１ａを中心として、ドラム１３７へのテープ１３６および紙幣の巻き取りおよび巻き戻しの各動作に応じて揺動するように構成されている。
【００６５】
第２のガイド部材１６５の先端側には、各テープ１３６の位置に対応して、ドラム１３７からテープ１３６とともに巻き戻す紙幣をドラム１３７の外周面から剥がして揺動通路１４４に送り込む剥がし爪１６９が揺動可能に配置されている。剥がし爪１６９は、ドラム１３７へ向けて揺動して剥がし爪１６９の先端がテープ１３６に常に接触するようにスプリングなどで付勢されている。
【００６６】
図６に示すように、第２のガイド部材１６５の先端側の両側には、第２のガイド部材１６５の先端側の両側が斜めに切り欠かれ、ドラム１３７から巻き戻される紙幣の両側部分が揺動通路１４４内に進入しやすいようにガイドするガイド部１７０が形成されている。
【００６７】
また、第１のガイド部材１６４および第２のガイド部材１６５には、搬送機構１４０のプーリ１５７ａ、１５７ｂがそれぞれ回転可能に軸支されている。
【００６８】
また、第１のガイド部材１６４には、リール１３８と揺動通路１４４との間でテープ１３６をガイドするガイドローラ１７２が回転可能に軸支されているとともに、リール１３８とガイドローラ１７２との間でテープ１３６をガイドするテープガイド１７３が取り付けられている。
【００６９】
また、第１のガイド部材１６４には、テープ１３６の一端域および他端域にそれぞれ設けられた不透明部を検知することにより、ドラム１３７からの巻き戻し限度およびドラム１３７への巻き取り限度を検知するテープエンド検知部（図示せず）が配置されている。このテープエンド検知部は、各テープ１３６毎に対応してそれぞれ配置されている。
【００７０】
また、第２のガイド部材１６５の先端部付近であって、ドラム１３７に対向する揺動通路１４４（ガイド通路１４３）の端部付近には、ガイドローラ１７２と揺動通路１４４（ガイド通路１４３）との間でテープ１３６および紙幣をガイドするガイド機構１８４が配設されている。ここで、ガイド機構１８４は、２本のテープ１３６の位置に対応してそれぞれ個別に配設されている。また、２本のテープ１３６の各々に対応する各ガイド機構１８４は、第１のガイド部材１６４に配置される駆動ローラ１８５および伝達ローラ（図示せず）と、第２のガイド部材１６５に配置される誘導ローラ１８８とを有している。
【００７１】
そして、ドラム１３７に対するテープ１３６の巻き取りおよび巻き戻し時に、テープ１３６の第２の面１３６ｂに接触する駆動ローラ１８５に移動するテープ１３６から駆動力が伝達され、この駆動ローラ１８５と一体に回転する伝達ローラから誘導ローラ１８８に駆動力が伝達されるように構成されている。また、上記の剥がし爪１６９は回転可能および着脱可能に設けられている。
【００７２】
また、ガイド体１４１には、揺動通路１４４内のテープ１３６とともに紙幣が搬送される領域でその紙幣を検知する紙幣検知部１９５が設けられている。この紙幣検知部１９５は、光センサ等から構成されており、紙幣の通過時にセンサ光が遮光されることで紙幣を検知するようになっている。
【００７３】
次に、本実施の形態の紙幣処理機１０に設けられた投入部１２の構成の詳細について図９および図１０を用いて説明する。なお、図９は、図１に示す紙幣処理機１０における投入部１２の構成の詳細を示す斜視図であり、図１０は、図９に示す投入部１２の正面図である。本実施の形態では、投入部１２は、紙幣処理機１０の外部から内部に紙幣を繰り出すための紙幣繰出装置として機能するようになっている。
【００７４】
図９および図１０に示すように、投入部１２は、複数の紙幣が積層状態で載置される載置部２０１と、載置部２０１に積層状態で載置された複数の紙幣のうち最下層にある紙幣の表面に当接する左右一対のキッカローラ２２０と、紙幣の繰出方向において各キッカローラ２２０の下流側に配置されこれらのキッカローラ２２０により蹴り出された紙幣について筐体１１の内部への繰り出しを行う左右一対の繰出ローラ２２２とを有している。また、各繰出ローラ２２２に対向するようこれらの繰出ローラ２２２の上方には左右一対のゲートローラ２２４が設けられており、各繰出ローラ２２２と各ゲートローラ２２４との間にゲート部が形成されている。各キッカローラ２２０により蹴り出された紙幣はこのゲート部を通過して１枚ずつ筐体１１内に繰り出されて搬送部１６に送られるようになっている。ここで、本実施の形態では、各キッカローラ２２０、各繰出ローラ２２２および各ゲートローラ２２４により、投入部１２の載置部２０１に載置された紙幣を１枚ずつ筐体１１の内部に繰り出す紙幣繰出機構１２ａが構成されている。
【００７５】
また、図９および図１０に示すように、投入部１２には略鉛直方向に延びる壁部材２０２が設けられており、この壁部材２０２により、載置部２０１に積層状態で載置された複数の紙幣が筐体１１の内部に一度に入ってしまうことが防止されるようになっている。また、投入部１２において壁部材２０２の手前側には左右一対の案内部材２１０、２１２（サイドホッパ部材）が設けられており、載置部２０１に載置される複数の紙幣は、これらの案内部材２１０、２１２の間に位置するようになっている。すなわち、左右一対の案内部材２１０、２１２により、載置部２０１に載置される複数の紙幣の幅方向（すなわち、図９や図１０における左右方向）における位置が決められるようになっている。
【００７６】
ここで、本実施の形態では、左右一対の案内部材２１０、２１２は、幅方向における載置部２０１の略中央位置からの距離を異ならせるよう当該載置部２０１に配置可能となっている。ここで、本実施の形態におけるある例では、左右一対の案内部材２１０、２１２のうち一方の案内部材（例えば、図９や図１０における右側の案内部材２１２）の位置は固定されており、他方の案内部材（例えば、図９や図１０における左側の案内部材２１０）の位置を幅方向に沿って変えることができるようになっている。また、本実施の形態における別の例では、左右一対の案内部材２１０、２１２の各々を他の案内部材から独立して幅方向に沿って移動させることができるようになっている。また、左右一対の案内部材２１０、２１２のうち少なくとも一方の案内部材を自動で移動させることができるようになっていてもよい。この際に、指定された情報（例えば、操作者によって事前に操作表示部５２により制御部５０に入力された通貨の種類や金種、サイズ等）に基づいて、左右一対の案内部材２１０、２１２のうち少なくとも一方の案内部材が自動で移動するようになっていてもよい。このような各案内部材２１０、２１２の具体的な配置方法については後述する。
【００７７】
また、壁部材２０２には、各案内部材２１０、２１２の位置決めを行う目安となる目印２１４、２１６が設けられている。ここで、目印２１４は、幅方向における投入部１２の略中央位置に設けられたものであり、目印２１６（図１０参照）は、目印２１４よりも図９や図１０における左側に設けられたものである。このような目印２１６は、ある特定の金種の紙幣が投入部１２により筐体１１内に投入される際にこの紙幣の大きさに合うよう図９や図１０における左側の案内部材２１０の位置合わせを行うときに用いられるようになっている。
【００７８】
また、投入部１２において各繰出ローラ２２２の幅方向外側には、左右一対の加熱ローラ２３０が設けられている。また、各加熱ローラ２３０に対応して当該加熱ローラ２３０に当接するようこれらの加熱ローラ２３０の下方には左右一対の受けローラ２３２が設けられている。各キッカローラ２２０により蹴り出され、各繰出ローラ２２２により筐体１１の内部に繰り出される紙幣における両端縁近傍の箇所は、これらの加熱ローラ２３０と受けローラ２３２との間のニップ部を通過するようになっており、このことにより投入部１２から筐体１１の内部に繰り出される紙幣における両端縁近傍の箇所は各加熱ローラ２３０により加熱されるようになっている。
【００７９】
また、載置部２０１には、各案内部材２１０、２１２の位置決めを行うための位置決め部材２４０が当該載置部２０１の幅方向における両端部近傍にそれぞれ複数設けられている。具体的には、各位置決め部材２４０は、その断面が三角形形状であるような棒状部材からなり、当該棒状部材の三角形形状における頂点部分は上方を向いている。また、各位置決め部材２４０間の間隔の大きさは各案内部材２１０、２１２の幅の大きさと略同一となっている。このことにより、各位置決め部材２４０間に各案内部材２１０、２１２を配置することによりこれらの案内部材２１０、２１２の位置決めが行われ、また、載置部２０１の幅方向に沿って各位置決め部材２４０を乗り越えるよう各案内部材２１０、２１２を移動させることによりこれらの案内部材２１０、２１２の位置を変えることができるようになっている。
【００８０】
また、図２に示すように、本実施の形態の紙幣処理機１０には、当該紙幣処理機１０の各構成部材の制御を行う制御部５０が設けられている。より詳細には、制御部５０には、投入部１２に設けられた紙幣繰出機構１２ａ、搬送部１６、識別部１８、一時保留部２０（具体的には、一時保留部２０の駆動モータ１４８）、各紙幣収納庫３０に設けられた紙幣繰出機構３２、筐体１１内に装着された紙幣収納カセット４０に設けられた紙幣繰出機構４２等がそれぞれ通信可能に接続されている。そして、識別部１８による紙幣の識別結果に係る信号が制御部５０に送られるとともに、制御部５０は紙幣処理機１０の各構成部材に指令信号を送ることによりこれらの構成部材の動作を制御するようになっている。
【００８１】
また、図２に示すように、制御部５０には操作表示部５２、記憶部５４および通信インターフェース部５６がそれぞれ通信可能に接続されている。操作表示部５２は例えば筐体１１の上面に設けられたタッチパネル等からなり、紙幣処理機１０における紙幣の入金処理等の処理状況や、各紙幣収納庫３０や紙幣収納カセット４０に収納されている紙幣の在高等に関する情報が操作表示部５２に表示されるようになっている。また、操作者は操作表示部５２を操作することにより制御部５０に対して様々な指令を与えることができるようになっている。
【００８２】
記憶部５４には、紙幣処理機１０における紙幣の入金処理等の処理履歴や、各紙幣収納庫３０や紙幣収納カセット４０に収納されている紙幣の在高等に関する情報が記憶されるようになっている。また、制御部５０は通信インターフェース部５６を介して本実施の形態による紙幣処理機１０とは別に設けられた外部装置（具体的には、例えば上位端末）に対して信号の送受信を行うことができるようになっている。
【００８３】
なお、上記の制御部５０は、紙幣処理機１０の各構成部材の制御を行うよう、当該紙幣処理機１０の筐体１１内に設けられているが、紙幣収納繰出機構としての一時保留部２０を単体で用いる場合には、当該一時保留部２０の各構成部材の制御を行う制御部がこの一時保留部２０に設置されるようになっていてもよい。
【００８４】
また、本実施の形態の紙幣処理機１０は、紙のみから構成される通常の紙幣に加えて、紙とポリマーフィルムとを組み合わせたようなハイブリッド紙幣の処理を行うことができるようになっている。このようなハイブリッド紙幣の構成について図３を用いて説明する。図３に示すように、ハイブリッド紙幣（図３において参照符号Ｐで表示）は、紙幣の短手方向に沿って直線状に延びるポリマーフィルム部分Ｐ２を一対の紙部分Ｐ１により挟むことにより形成されている。一部の国や地域ではこのようなハイブリッド紙幣も正常な紙幣であるとみなされるため、識別部１８により紙幣の識別が行われる際に図３に示すようなハイブリッド紙幣が識別された場合にこのようなハイブリッド紙幣は正常な紙幣であると制御部５０において判断されるようになる。また、識別部１８によりハイブリッド紙幣の識別が行われたときに、当該識別部１８によりハイブリッド紙幣のポリマーフィルム部分Ｐ２の幅方向における位置が検知されるようになっている。このような識別部１８によるハイブリッド紙幣のポリマーフィルム部分Ｐ２の幅方向における位置の検知方法について図８Ａを用いて説明する。
【００８５】
図８Ａは、識別部１８によるハイブリッド紙幣のポリマーフィルム部分Ｐ２の幅方向における位置の検知方法を示す説明図である。図８Ａに示すように、識別部１８において紙幣が識別される際に、当該紙幣の幅方向において検知領域ａ０〜ａ７が複数（例えば、８つ）に分割されており、各検知領域ａ０〜ａ７においてポリマーフィルム部分Ｐ２が存在するか否かが検知されるようになっている。ここで、各検知領域ａ０〜ａ７のうち検知領域ａ０〜ａ２は紙幣の幅方向における左側の領域とされ、検知領域ａ３、ａ４は紙幣の幅方向における中央の領域とされ、検知領域ａ５〜ａ７は紙幣の幅方向における中央の領域とされる。そして、識別部１８により識別されたハイブリッド紙幣のポリマーフィルム部分Ｐ２が図８Ａに示すような位置にある場合には、検知領域ａ６にポリマーフィルム部分Ｐ２が存在することが検知され、よって紙幣の幅方向における右側にポリマーフィルム部分Ｐ２が存在することが検知される。
【００８６】
なお、このようなハイブリッド紙幣におけるポリマーフィルム部分Ｐ２は紙部分Ｐ１よりもコシが強く、また、ポリマーフィルム部分Ｐ２の厚さは紙部分Ｐ１の厚さよりも大きくなっている。このため、従来では、一時保留部２０において、帯状のテープ１３６によりハイブリッド紙幣をドラム１３７の外周面上に巻き取る際に、紙のみにより形成される紙幣を帯状のテープ１３６によりドラム１３７の外周面上に巻き取る場合と比較して、テープ１３６がハイブリッド紙幣をドラム１３７の外周面上に向かって締め付ける力が弱くなってしまうという問題がある。また、図６に示すように２本のテープ１３６がドラム１３７の軸方向に沿って並ぶよう設けられている場合には、２本のテープ１３６のうちハイブリッド紙幣のポリマーフィルム部分Ｐ２に近い側のテープ１３６による締付力は、ポリマーフィルム部分Ｐ２から遠い側のテープ１３６による締付力よりも弱くなってしまう。この場合には、ドラム１３７の外周面に複数のハイブリッド紙幣が巻き取られた際に当該ハイブリッド紙幣のポリマーフィルム部分Ｐ２に近い側のテープ１３６の箇所がドラム１３７の外方に膨らんでしまうため、ドラム軸１４７に対して直交する方向から見て、各テープ１３６によりドラム１３７の外周面に巻き取られた複数のハイブリッド紙幣がいわゆる円錐状となってしまい、ドラム１３７に収納されたハイブリッド紙幣の位置が当該ドラム１３７の軸方向にずれてしまうおそれがある。これに対して、本実施の形態では、一時保留部２０において、所定の巻き締め条件が満たされたときに、各テープ１３６に締め付け力を付与することによって、ハイブリッド紙幣を各テープ１３６によりドラム１３７の外周面上に巻き取る際にも各テープ１３６がハイブリッド紙幣をドラム１３７の外周面上に向かって締め付ける力を十分なものとしている。このことにより、本実施の形態では、ハイブリッド紙幣を各テープ１３６によってドラム１３７に所望の状態で巻き取って当該ドラム１３７に確実に収納させることができる。具体的には、ドラム１３７に収納された複数のハイブリッド紙幣が円錐状となってしまい当該ハイブリッド紙幣の位置がドラム１３７の軸方向にずれてしまうことを防止することができる。このような技術的事項の詳細については後述する。
【００８７】
また、本実施の形態では、一時保留部２０における各テープ１３６の位置に応じて、投入部１２における左右一対の案内部材２１０、２１２の位置が設定されるようになっている。具体的には、一時保留部２０に保留されるべきハイブリッド紙幣について、このハイブリッド紙幣のポリマーフィルム部分Ｐ２の幅方向における位置が一時保留部２０のテープ１３６の幅方向における位置と少なくとも一部が重なるよう、投入部１２における左右一対の案内部材２１０、２１２の位置が設定されるようになっている。このことにより、一時保留部２０においてハイブリッド紙幣のポリマーフィルム部分Ｐ２をテープ１３６によりドラム１３７の外周面上に直接締め付けることができるようになり、よって一時保留部２０のドラム１３７にハイブリッド紙幣を適切に収納することができるようになる。このような技術的事項の詳細については後述する。
【００８８】
また、本実施の形態では、投入部１２において左右一対の加熱ローラ２３０が設けられており、投入部１２から筐体１１の内部に繰り出される紙幣における両端縁近傍の箇所は各加熱ローラ２３０により加熱されるようになっているため、図３に示すようなハイブリッド紙幣が投入部１２から筐体１１の内部に繰り出される際に、当該ハイブリッド紙幣のポリマーフィルム部分Ｐ２を各加熱ローラ２３０により加熱してこのポリマーフィルム部分Ｐ２のコシを弱めることができる。このことにより、投入部１２から筐体１１の内部に繰り出されたハイブリッド紙幣が一時保留部２０に一時的に保留される際に、当該一時保留部２０のドラム１３７にハイブリッド紙幣をより一層適切に収納することができるようになる。なお、投入部１２に左右一対の加熱ローラ２３０を設ける代わりに、当該投入部１２から筐体１１の内部に繰り出される紙幣に接触して当該紙幣との間に働く摩擦力によりこの紙幣を搬送するような搬送ベルトが設けられ、この搬送ベルトが図示しない熱源により加熱させられるようになっていてもよい。この場合にも投入部１２に左右一対の加熱ローラ２３０を設けた場合と同様の作用効果を奏することができるようになる。
【００８９】
次に、このような構成からなる紙幣処理機１０の動作について説明する。なお、以下に示すような紙幣処理機１０の動作は、制御部５０が紙幣処理機１０の各構成部材を制御することにより行われるようになっている。
【００９０】
まず、紙幣処理機１０において紙幣の入金処理を行う際の動作について図７に示すフローチャートを用いて説明する。操作者が投入部１２に複数の紙幣を積層状態で載置した後、操作表示部５２により入金処理開始の指令を制御部５０に与えると、投入部１２に投入された紙幣は紙幣繰出機構１２ａにより１枚ずつ筐体１１内に繰り出され、搬送部１６により１枚ずつ搬送されるようになる（ＳＴＥＰ１）。そして、搬送部１６により搬送される紙幣は識別部１８によりその金種、真偽、表裏、正損、新旧、搬送状態等が識別される（ＳＴＥＰ２）。識別部１８により正常な紙幣ではないと識別された紙幣、すなわちリジェクト紙幣は搬送部１６により投出部１４に送られ、当該投出部１４に集積される（ＳＴＥＰ３の「ＮＯ」、ＳＴＥＰ５）。このことにより、操作者は投出部１４に集積されたリジェクト紙幣を筐体１１から手動で取り出し、投入部１２に再び載置することができるようになる。一方、識別部１８により正常な紙幣であると識別された紙幣は搬送部１６から一時保留部２０に送られ、この一時保留部２０で一時的に保留される（ＳＴＥＰ３の「ＹＥＳ」、ＳＴＥＰ４）。なお、この際に、一時保留部２０において所定の巻き締め条件が満たされると（ＳＴＥＰ６の「ＹＥＳ」）、当該一時保留部２０において各テープ１３６の締め付け動作が行われるようになる（ＳＴＥＰ７）。このような各テープ１３６の締め付け動作の詳細については後述する。
【００９１】
上述したＳＴＥＰ１〜ＳＴＥＰ７に示す動作は、投入部１２に投入された紙幣が全て筐体１１内に繰り出されて一時保留部２０または投出部１４に送られるまで繰り返し行われる（ＳＴＥＰ８の「ＮＯ」）。そして、投入部１２に投入された紙幣が全て筐体１１内に繰り出されて一時保留部２０または投出部１４に送られると（ＳＴＥＰ８の「ＹＥＳ」）、入金確定の承認を操作者に求めるメッセージが操作表示部５２に表示される。その後、操作者が操作表示部５２により入金確定の指令を制御部５０に与えると（ＳＴＥＰ９の「ＹＥＳ」）、一時保留部２０から紙幣が１枚ずつ搬送部１６に繰り出され、当該搬送部１６により各紙幣収納庫３０に紙幣が金種毎に送られるようになる（ＳＴＥＰ１０）。このようにして紙幣処理機１０における紙幣の一連の入金処理が完了する。一方、操作者が操作表示部５２により入金確定の指令を制御部５０に与えるかわりに返却の指令を制御部５０に与えると（ＳＴＥＰ９の「ＮＯ」、ＳＴＥＰ１１の「ＹＥＳ」）、一時保留部２０から紙幣が１枚ずつ搬送部１６に繰り出され、当該搬送部１６により投出部１４に紙幣が送られるようになる（ＳＴＥＰ１２）。このことにより操作者は投出部１４から返却紙幣を筐体１１の外部に取り出すことができるようになる。
【００９２】
次に、一時保留部２０において行われるテープ１３６の締め付け動作の詳細について図８Ｂに示すタイミングチャートを用いて説明する。上述したように、一時保留部２０において所定の巻き締め条件が満たされたときに、駆動モータ１４８によってドラム１３７やリール１３８を駆動することによりこれらのドラム１３７およびリール１３８の間にある帯状のテープ１３６に締め付け力が付与されるようになっている。ここで、所定の巻き締め条件とは、例えば、搬送部１６から一時保留部２０に紙幣が送られて当該一時保留部２０のドラム１３７に紙幣が収納される際に予め設定された所定枚数の紙幣がドラム１３７に収納されたときである。具体的には、制御部５０において上記の所定枚数として例えば５０枚が設定されているときには、上記の紙幣処理機１０における紙幣の入金処理において投入部１２から筐体１１内に繰り出された紙幣が一時保留部２０に５０枚送られる度に、この一時保留部２０において各テープ１３６に締め付け力が付与されるようになる。
【００９３】
一時保留部２０において各テープ１３６に締め付け力を付与するにあたり、本実施の形態では、図８Ｂのタイミングチャートで示すように、駆動モータ１４８によりドラム１３７を紙幣の巻取方向（すなわち、図４や図５における時計回りの方向）に高速（例えば、１２００ｍｍ／ｓ）で一定時間回転させた後、当該ドラム１３７を紙幣の巻取方向に低速（例えば、３５０ｍｍ／ｓ）で一定時間回転させ、その後ドラム１３７を一旦停止させる。なお、ドラム１３７を低速で一定時間回転させるのは、各テープ１３６の慣性移動によるゆるみを防ぐためである。また、この際に、ワンウェイクラッチによってリール１３８に回転駆動力が伝達されず、ドラム１３７に巻き取られるテープ１３６がトルクリミッタに抗してリール１３８から引き出されるようになる。そして、制御部５０は、このようなドラム１３７の駆動および停止を予め設定された所定の回数だけ繰り返すよう駆動モータ１４８を制御する。このことにより、ドラム１３７とリール１３８との間における各テープ１３６の張力が大きくなるため、これらの各テープ１３６に締め付け力が付与される。その後、制御部５０は、駆動モータ１４８によりリール１３８を各テープ１３６の巻取方向（すなわち、図４や図５における反時計回りの方向）に低速（例えば、３５０ｍｍ／ｓ）に一定時間回転させる。このことにより、各テープ１３６がドラム１３７から少しだけ巻き戻され、ドラム１３７への次の紙幣の収納動作に備えることができるようになる。なお、本実施の形態では、制御部５０において、各テープ１３６に締め付け力を付与する際にドラム１３７の駆動および停止を行う回数を自在に設定することができるようになっていてもよい。このようなドラム１３７の駆動および停止を行う回数の設定は例えば操作者が操作表示部５２により制御部５０に当該回数を入力することにより行われるようになる。また、制御部５０において、各テープ１３６に締め付け力を付与する際にドラム１３７を高速で回転させる時間や低速で回転させる時間、リール１３８を各テープ１３６の巻取方向に回転させる時間、あるいはドラム１３７やリール１３８の回転速度をそれぞれ自在に設定することができるようになっていてもよい。このようなドラム１３７を高速や低速で回転させる時間等の設定は例えば操作者が操作表示部５２により制御部５０に当該時間を入力することにより行われるようになる。
【００９４】
このように、本実施の形態による紙幣処理機１０では、紙幣の入金処理において投入部１２から筐体１１内に繰り出された紙幣が一時保留部２０に５０枚送られる度に、この一時保留部２０において各テープ１３６に締め付け力が付与されるようになるため、図３に示すようなハイブリッド紙幣が投入部１２に投入され、このハイブリッド紙幣が搬送部１６から一時保留部２０に送られて当該一時保留部２０に一時的に保留される場合でも、ハイブリッド紙幣を各テープ１３６によりドラム１３７の外周面上に巻き取る際に各テープ１３６がハイブリッド紙幣をドラム１３７の外周面上に向かって締め付ける力を十分なものとすることができる。
【００９５】
なお、本実施の形態では、上記の「所定の巻き締め条件」は、搬送部１６から一時保留部２０に紙幣が送られて当該一時保留部２０のドラム１３７に紙幣が収納されるときに予め設定された所定枚数の紙幣がドラム１３７に収納されたときに限定されることはない。「所定の巻き締め条件」の別の例として、一時保留部２０に一時的に保留されている紙幣が当該一時保留部２０から搬送部１６に繰り出される際に予め設定された所定枚数の紙幣が一時保留部２０から搬送部１６に繰り出されたときであってもよい。具体的には、制御部５０において上記の所定枚数として例えば５０枚が設定されているときには、一時保留部２０から搬送部１６に紙幣が５０枚繰り出される度に、この一時保留部２０において各テープ１３６に締め付け力が付与されるようになる。
【００９６】
また、別の例として、一時保留部２０においてドラム１３７に紙幣を収納させる動作またはドラム１３７から紙幣を巻き戻して搬送部１６に繰り出す動作が完了したときに（具体的には、図７のフローチャートにおけるＳＴＥＰ８やＳＴＥＰ１０の動作が完了したときに）、一時保留部２０において各テープ１３６に締め付け力が付与されるようになっていてもよい。また、このような動作は、後述する収納繰出部６０に適用してもよい。
【００９７】
また、更に別の例として、一時保留部２０においてドラム１３７に紙幣を収納させる動作の開始時またはドラム１３７から紙幣を巻き戻して搬送部１６に繰り出す動作の開始時に（具体的には、図１のフローチャートにおけるＳＴＥＰ１やＳＴＥＰ１０の動作が行われる前に）、一時保留部２０において各テープ１３６に締め付け力が付与されるようになっていてもよい。また、このような動作は、後述する収納繰出部６０に適用してもよい。
【００９８】
また、制御部５０において、一時保留部２０に保留されるべき紙幣の種類毎に、当該一時保留部２０において各テープ１３６に締め付け力を付与する動作を行うか否かを設定することができるようになっていてもよい。例えば、一時保留部２０に保留されるべき紙幣がハイブリッド紙幣であると識別部１８により識別されたときには、一時保留部２０において各テープ１３６に締め付け力を付与する動作を行い、一方、一時保留部２０に保留されるべき紙幣が紙のみから構成される通常の紙幣であると識別部１８により識別されたときには、一時保留部２０において各テープ１３６に締め付け力を付与する動作を行わないことが制御部５０において設定されていてもよい。この場合には、制御部５０は、識別部１８による紙幣の識別結果に基づいて、当該紙幣が一時保留部２０のドラム１３７の外周面に巻き取られた後に各テープ１３６に締め付け力を付与するか否かを判断するようになる。
【００９９】
また、制御部５０において、一時保留部２０に保留されるべき紙幣の金種毎に、当該一時保留部２０において各テープ１３６に締め付け力を付与する動作を行うか否かを設定することができるようになっていてもよい。例えば、ハイブリッド紙幣が流通している国や地域において、ある金種の紙幣のみがハイブリッド紙幣である場合には、一時保留部２０に保留されるべき紙幣の金種がハイブリッド紙幣の金種であると識別部１８により識別されたときには、一時保留部２０において各テープ１３６に締め付け力を付与する動作を行い、一方、一時保留部２０に保留されるべき紙幣の金種が紙のみから構成される通常の紙幣の金種であると識別部１８により識別されたときには、一時保留部２０において各テープ１３６に締め付け力を付与する動作を行わないことが制御部５０において設定されていてもよい。この場合にも、制御部５０は、識別部１８による紙幣の識別結果に基づいて、当該紙幣が一時保留部２０のドラム１３７の外周面に巻き取られた後に各テープ１３６に締め付け力を付与するか否かを判断するようになる。
【０１００】
また、制御部５０は、識別部１８による紙幣の識別結果に基づいて、ハイブリッド紙幣が一時保留部２０におけるドラム１３７の外周面に所定枚数巻き取られた場合に、各テープ１３６に締め付け力を付与するよう駆動モータ１４８を制御するようになっていてもよい。この場合には、操作者によって紙のみから構成される紙幣およびハイブリッド紙幣が投入部１２に混合状態で載置されたときに、紙のみから構成される紙幣が一時保留部２０に保留される枚数に関わりなく、一時保留部２０に保留されるハイブリッド紙幣の枚数が予め設定された所定枚数に達する度に各テープ１３６に締め付け力が付与されるようになる。また、別の態様として、制御部５０は、識別部１８による紙幣の識別結果に基づいて、ハイブリッド紙幣が一時保留部２０におけるドラム１３７の外周面に連続して所定枚数巻き取られた場合に、各テープ１３６に締め付け力を付与するよう駆動モータ１４８を制御するようになっていてもよい。
【０１０１】
また、本実施の形態では、紙幣の入金処理を行う前に、投入部１２における左右一対の案内部材２１０、２１２の位置が事前に調整されるようになっている。具体的には、上述したように、ハイブリッド紙幣をそのおもて面が上向きとなりかつ短手方向の向きが所定の向きとなるよう投入部１２の載置部２０１に載置したときに当該ハイブリッド紙幣のポリマーフィルム部分Ｐ２の幅方向における位置が一時保留部２０のテープ１３６の幅方向における位置と少なくとも一部が重なるよう、投入部１２における左右一対の案内部材２１０、２１２の位置が調整される。このような投入部１２における左右一対の案内部材２１０、２１２の位置の調整方法について図１１を用いて説明する。
【０１０２】
図１１には、ハイブリッド紙幣をそのおもて面が上向きとなりかつ短手方向の向きが所定の向きとなるよう投入部１２の載置部２０１に載置したときの当該ハイブリッド紙幣のポリマーフィルム部分Ｐ２の幅方向における位置が一時保留部２０のテープ１３６の幅方向における位置と少なくとも一部分が重なるよう、図９および図１０に示す投入部１２における左右一対の案内部材２１０、２１２によりハイブリッド紙幣の幅方向における位置を調整する方法が示されている。ここで、図１１において、搬送部１６によるハイブリッド紙幣の搬送方向は右方向となっている。また、搬送部１６の搬送路における、一時保留部２０の各テープ１３６の幅方向における位置と同じ位置を参照符号Ｌ１で示している。また、図１１における投入部１２に位置する紙幣は、おもて面が上向きとなりかつ短手方向の向きが所定の向きとなるよう投入部１２の載置部２０１に載置されたハイブリッド紙幣である。
【０１０３】
図１１に示すように、紙幣の入金処理を行う前に、ハイブリッド紙幣をそのおもて面が上向きとなりかつ短手方向の向きが所定の向きとなるよう投入部１２の載置部２０１に載置したときに当該ハイブリッド紙幣のポリマーフィルム部分Ｐ２の幅方向における位置が一時保留部２０のテープ１３６の幅方向における位置と少なくとも一部が重なるよう、投入部１２における左右一対の案内部材２１０、２１２の位置が調整される。ここで、各案内部材２１０、２１２の位置は操作者によって手動で調整されるようになっていてもよく、あるいは自動で調整されるようになっていてもよい。
【０１０４】
ここで、左右一対の案内部材２１０、２１２のうち一方の案内部材（例えば、図９や図１０における右側の案内部材２１２）の位置が固定されており、他方の案内部材（例えば、図９や図１０における左側の案内部材２１０）の位置を幅方向に沿って変えることができるようになっている場合において、この左側の案内部材２１０の位置が操作者によって手動で調整されるようになっているときには、当該操作者は図１０に示すような目印２１６に案内部材２１０の外側端部が合うようこの案内部材２１０の位置決めを行う。なお、このような目印２１６の幅方向における位置は、投入部１２の載置部２０１に載置されるべきハイブリッド紙幣の幅の大きさが位置固定である案内部材２１２と可動となっている案内部材２１０との間の距離に略一致するよう、予め設定されるようになっている。ここで、本実施の形態では、左右一対の案内部材２１０、２１２の間の距離が、投入部１２の載置部２０１に載置されるべきハイブリッド紙幣の幅の大きさと略同一となるよう操作者によって手動で左側の案内部材２１０の位置が調整されたときに、図１１に示すように、そのおもて面が上向きとなりかつ短手方向の向きが所定の向きとなるよう投入部１２の載置部２０１に載置されたハイブリッド紙幣のポリマーフィルム部分Ｐ２の幅方向における位置が一時保留部２０のテープ１３６の幅方向における位置と少なくとも一部が重なるようになる。
【０１０５】
また、左右一対の案内部材２１０、２１２のうち一方の案内部材（例えば、図９や図１０における右側の案内部材２１２）の位置が固定されており、他方の案内部材（例えば、図９や図１０における左側の案内部材２１０）の位置を幅方向に沿って変えることができるようになっている場合において、この左側の案内部材２１０の位置が自動で調整されるようになっているときには、操作者は前もって操作表示部５２により制御部５０にハイブリッド紙幣の通貨の種類や金種、サイズ等の情報を入力することにより、このような制御部５０に入力された情報に基づいて左側の案内部材２１０が自動で移動させられるようになる。具体的には、制御部５０に入力された情報に基づいて算出されるハイブリッド紙幣の幅の大きさが、位置固定である案内部材２１２と可動となっている案内部材２１０との間の距離に略一致するような位置に当該案内部材２１０が自動で移動させられるようになる。この場合でも、図１１に示すように、そのおもて面が上向きとなりかつ短手方向の向きが所定の向きとなるよう投入部１２の載置部２０１に載置されたハイブリッド紙幣のポリマーフィルム部分Ｐ２の幅方向における位置が一時保留部２０のテープ１３６の幅方向における位置と少なくとも一部が重なるようになる。
【０１０６】
また、左右一対の案内部材２１０、２１２の各々を他の案内部材から独立して幅方向に沿って移動させることができるようになっている場合において、各案内部材２１０、２１２の位置が操作者によって手動で調整されるようになっているときには、操作者は一方の案内部材（例えば、左側の案内部材２１０）を手動で移動させたときに他方の案内部材（例えば、右側の案内部材２１２）も一方の案内部材に連動して移動するようになっている。具体的には、投入部１２における載置部２０１の略中央位置から左右にずれた所定の位置（すなわち、図９や図１０に示す目印２１４から左右にずれた所定の位置）からの距離が略同一となるよう、左右一対の案内部材２１０、２１２の各々は他方の案内部材に対して接近する方向および遠ざかる方向にそれぞれ連動して移動するようになっている。ここで、本実施の形態では、左右一対の案内部材２１０、２１２の間の距離が、投入部１２の載置部２０１に載置されるべきハイブリッド紙幣の幅の大きさと略同一となるよう操作者によって手動で各案内部材２１０、２１２の位置が調整されたときに、図１１に示すように、そのおもて面が上向きとなりかつ短手方向の向きが所定の向きとなるよう投入部１２の載置部２０１に載置されたハイブリッド紙幣のポリマーフィルム部分Ｐ２の幅方向における位置が一時保留部２０のテープ１３６の幅方向における位置と少なくとも一部が重なるようになる。
【０１０７】
また、左右一対の案内部材２１０、２１２の各々を他の案内部材から独立して幅方向に沿って移動させることができるようになっている場合において、各案内部材２１０、２１２の位置が自動で調整されるようになっているときには、操作者は前もって操作表示部５２により制御部５０にハイブリッド紙幣の通貨の種類や金種、サイズ等の情報を入力することにより、このような制御部５０に入力された情報に基づいて各案内部材２１０、２１２がそれぞれ自動で移動させられるようになる。具体的には、制御部５０に入力された情報に基づいて算出されるハイブリッド紙幣の幅の大きさが、左右一対の案内部材２１０、２１２の間の距離に略一致するような位置に各案内部材２１０、２１２が自動で移動させられるようになる。この場合でも、図１１に示すように、そのおもて面が上向きとなりかつ短手方向の向きが所定の向きとなるよう投入部１２の載置部２０１に載置されたハイブリッド紙幣のポリマーフィルム部分Ｐ２の幅方向における位置が一時保留部２０のテープ１３６の幅方向における位置と少なくとも一部が重なるようになる。
【０１０８】
そして、上記のように投入部１２における各案内部材２１０、２１２の幅方向における位置が調整された後、操作者は投入部１２における各案内部材２１０、２１２の間に複数の紙幣を積層状態で載置し、操作表示部５２により入金処理開始の指令を制御部５０に与える。なお、この際に、投入部１２の載置部２０１に図３に示すようなハイブリッド紙幣が載置される場合には、当該ハイブリッド紙幣のおもて面が上方を向くとともに短手方向の向きが所定の向きとなるように当該ハイブリッド紙幣が載置部２０１に載置される。入金処理開始の指令が制御部５０に与えられると、投入部１２の載置部２０１に載置された紙幣は紙幣繰出機構１２ａにより１枚ずつ筐体１１内に繰り出され、搬送部１６により１枚ずつ搬送されるようになる。そして、搬送部１６により搬送される紙幣は識別部１８によりその金種、真偽、表裏、正損、新旧、搬送状態等が識別される。識別部１８により正常な紙幣ではないと識別された紙幣、すなわちリジェクト紙幣は搬送部１６により投出部１４に送られ、当該投出部１４に集積される。このことにより、操作者は投出部１４に集積されたリジェクト紙幣を筐体１１から手動で取り出し、投入部１２に再び載置することができるようになる。一方、識別部１８により正常な紙幣であると識別された紙幣は搬送部１６から一時保留部２０に送られ、この一時保留部２０で一時的に保留される。ここで、ハイブリッド紙幣をそのおもて面が上向きとなりかつ短手方向の向きが所定の向きとなるよう投入部１２の載置部２０１に載置したときに当該ハイブリッド紙幣のポリマーフィルム部分Ｐ２の幅方向における位置が一時保留部２０のテープ１３６の幅方向における位置と少なくとも一部が重なるよう、投入部１２における左右一対の案内部材２１０、２１２の位置が前もって調整されているため、一時保留部２０においてハイブリッド紙幣のポリマーフィルム部分Ｐ２を一対のテープ１３６のうち図１１における下側のテープ１３６によりドラム１３７の外周面上に直接締め付けることができるようになる。このため一時保留部２０のドラム１３７にハイブリッド紙幣を適切に収納することができるようになる。
【０１０９】
そして、投入部１２に投入された紙幣が全て筐体１１内に繰り出されて一時保留部２０または投出部１４に送られると、入金確定の承認を操作者に求めるメッセージが操作表示部５２に表示される。その後、操作者が操作表示部５２により入金確定の指令を制御部５０に与えると、一時保留部２０から紙幣が１枚ずつ搬送部１６に繰り出され、当該搬送部１６により紙幣が識別部１８を通過するよう搬送させられた後、各紙幣収納庫３０に紙幣が金種毎に送られるようになる。このようにして紙幣処理機１０における紙幣の一連の入金処理が完了する。一方、操作者が操作表示部５２により入金確定の指令を制御部５０に与えるかわりに返却の指令を制御部５０に与えると、一時保留部２０から紙幣が１枚ずつ搬送部１６に繰り出され、当該搬送部１６により投出部１４に紙幣が送られるようになる。このことにより操作者は投出部１４から返却紙幣を筐体１１の外部に取り出すことができるようになる。
【０１１０】
なお、本実施の形態では、識別部１８により識別されたハイブリッド紙幣の表裏の向きや短手方向の向きが所定の向きではない場合には、当該紙幣は紙幣処理機１０から投出されるようになっている。具体的には、識別部１８によりハイブリッド紙幣が識別されたときに、例えば当該識別部１８により識別されたハイブリッド紙幣のおもて面が上方を向いているときには当該ハイブリッド紙幣は搬送部１６により一時保留部２０に送られるが、識別部１８により識別された紙幣の裏面が上方を向いているときには当該ハイブリッド紙幣は搬送部１６により一時保留部２０に送られることなく代わりに投出部１４に送られるようになっている。このことにより、操作者は投出部１４からハイブリッド紙幣を手動で取り出し、そのおもて面が上向きとなるよう当該ハイブリッド紙幣を投入部１２の載置部２０１に再び載置することができるようになる。ここで、識別部１８により識別されたハイブリッド紙幣の表裏の向きや短手方向の向きが所定の向きではない場合において、このようなハイブリッド紙幣が一時保留部２０に送られると当該ハイブリッド紙幣のポリマーフィルム部分Ｐ２の幅方向における位置が一時保留部２０の一対のテープ１３６の幅方向における位置と略一致しなくなってしまう可能性がある。これに対し、本実施の形態では、このようなハイブリッド紙幣を一時保留部２０ではなく投出部１４に送ることにより、一時保留部２０にこのようなハイブリッド紙幣が送られたときに当該ハイブリッド紙幣のポリマーフィルム部分Ｐ２の幅方向における位置が一時保留部２０の一対のテープ１３６の幅方向における位置と略一致しなくなってしまうことを防止することができる。
【０１１１】
ここで、識別部１８により識別されたハイブリッド紙幣の表裏の向きや短手方向の向きが所定の向きではない場合に、投出部１４からハイブリッド紙幣を取り出して投入部１２の載置部２０１に再び載置する旨のメッセージを操作表示部５２に表示させるよう当該制御部５０は操作表示部５２を制御するようになっていてもよい。このことにより、投出部１４にハイブリッド紙幣が送られたことが操作表示部５２によって操作者に報知されるため、当該操作者はそのおもて面が上向きとなりかつ短手方向の向きが所定の向きとなるようハイブリッド紙幣を投入部１２の載置部２０１に再び載置することができるようになる。また、その表裏の向きや短手方向の向きが所定の向きではないと識別部１８により判断されたハイブリッド紙幣と、それ以外のリジェクト紙幣（例えば、偽券や損券等）とが区別して投出部１４に送られるようになっていてもよい。具体的には、投出部１４は仕切り部材により複数の領域に仕切られており、その表裏の向きや短手方向の向きが所定の向きではないと識別部１８により判断されたハイブリッド紙幣と、それ以外のリジェクト紙幣とが投出部１４における別々の領域に集積されるようになっていてもよい。また、表裏の向きや短手方向の向きが所定の向きではないと識別部１８により判断されたハイブリッド紙幣が投出部１４に送られるタイミングを、それ以外のリジェクト紙幣が投出部１４に送られるタイミングからずらすようにしてもよい。また、筐体１１において投出部１４の近傍にはＬＥＤ等の発光部材が設けられており、表裏の向きや短手方向の向きが所定の向きではないと識別部１８により判断されたハイブリッド紙幣が投出部１４に送られたときにおける発光部材の発光の態様（具体的には、色や点灯／点滅の状態等）と、それ以外のリジェクト紙幣が投出部１４に送られたときにおける発光部材の発光の態様とが異なるようになっていてもよい。また、投出部１４が複数設けられており、その表裏の向きや短手方向の向きが所定の向きではないと識別部１８により判断されたハイブリッド紙幣と、それ以外のリジェクト紙幣とが別々の投出部１４に送られるようになっていてもよい。
【０１１２】
また、本実施の形態では、識別部１８により識別されたハイブリッド紙幣のポリマーフィルム部分Ｐ２の幅方向における位置が所定の位置ではない場合に、当該紙幣は紙幣処理機１０から投出されるようになっていてもよい。具体的には、識別部１８によりハイブリッド紙幣が識別されたときに、識別部１８により識別されたハイブリッド紙幣のポリマーフィルム部分Ｐ２の幅方向における位置が所定の位置（すなわち、一時保留部２０の各テープ１３６の幅方向における位置と少なくとも一部分が重なる位置）であるときには当該ハイブリッド紙幣は搬送部１６により一時保留部２０に送られるが、識別部１８により識別されたハイブリッド紙幣のポリマーフィルム部分Ｐ２の幅方向における位置が所定の位置ではないときには当該ハイブリッド紙幣は搬送部１６により一時保留部２０に送られることなく代わりに投出部１４に送られるようになっている。このことにより、操作者は投出部１４からハイブリッド紙幣を手動で取り出し、投入部１２の各案内部材２１０、２１２の幅方向における位置を再調整した後、当該ハイブリッド紙幣を投入部１２の載置部２０１に再び載置することができるようになる。ここで、識別部１８により識別されたハイブリッド紙幣のポリマーフィルム部分Ｐ２の幅方向における位置が所定の位置ではない場合において、このようなハイブリッド紙幣が一時保留部２０に送られると当該ハイブリッド紙幣のポリマーフィルム部分Ｐ２の幅方向における位置が一時保留部２０の一対のテープ１３６の幅方向における位置と略一致しなくなってしまう。これに対し、本実施の形態では、このようなハイブリッド紙幣を一時保留部２０ではなく投出部１４に送ることにより、一時保留部２０にこのようなハイブリッド紙幣が送られたときに当該ハイブリッド紙幣のポリマーフィルム部分Ｐ２の幅方向における位置が一時保留部２０の一対のテープ１３６の幅方向における位置と略一致しなくなってしまうことを防止することができる。
【０１１３】
ここで、識別部１８により識別されたハイブリッド紙幣のポリマーフィルム部分Ｐ２の幅方向における位置が所定の位置ではない場合に、投出部１４からハイブリッド紙幣を取り出すとともに投入部１２の各案内部材２１０、２１２の幅方向における位置を再調整した後にハイブリッド紙幣を投入部１２の載置部２０１に再び載置する旨のメッセージを操作表示部５２に表示させるよう当該制御部５０は操作表示部５２を制御するようになっていてもよい。このことにより、投出部１４にハイブリッド紙幣が送られたことが操作表示部５２によって操作者に報知されるため、当該操作者は投入部１２の各案内部材２１０、２１２の幅方向における位置を再調整した後にハイブリッド紙幣を投入部１２の載置部２０１に再び載置することができるようになる。また、ポリマーフィルム部分Ｐ２の幅方向における位置が所定の位置ではないと識別部１８により判断されたハイブリッド紙幣と、それ以外のリジェクト紙幣（例えば、偽券や損券等）とが区別して投出部１４に送られるようになっていてもよい。具体的には、投出部１４は仕切り部材により複数の領域に仕切られており、ポリマーフィルム部分Ｐ２の幅方向における位置が所定の位置ではないと識別部１８により判断されたハイブリッド紙幣と、それ以外のリジェクト紙幣とが投出部１４における別々の領域に集積されるようになっていてもよい。また、ポリマーフィルム部分Ｐ２の幅方向における位置が所定の位置ではないと識別部１８により判断されたハイブリッド紙幣が投出部１４に送られるタイミングを、それ以外のリジェクト紙幣が投出部１４に送られるタイミングからずらすようにしてもよい。また、筐体１１において投出部１４の近傍にはＬＥＤ等の発光部材が設けられており、ポリマーフィルム部分Ｐ２の幅方向における位置が所定の位置ではないと識別部１８により判断されたハイブリッド紙幣が投出部１４に送られたときにおける発光部材の発光の態様（具体的には、色や点灯／点滅の状態等）と、それ以外のリジェクト紙幣が投出部１４に送られたときにおける発光部材の発光の態様とが異なるようになっていてもよい。また、投出部１４が複数設けられており、ポリマーフィルム部分Ｐ２の幅方向における位置が所定の位置ではないと識別部１８により判断されたハイブリッド紙幣と、それ以外のリジェクト紙幣とが別々の投出部１４に送られるようになっていてもよい。
【０１１４】
また、本実施の形態の紙幣処理機１０では、紙幣の入金処理が行われる際に、投入部１２により筐体１１の内部に投入された紙幣を一時保留部２０で一時的に保留した後に各紙幣収納庫３０に金種毎に送って当該紙幣収納庫３０に収納させる代わりに、投入部１２により筐体１１の内部に投入された紙幣を直接的に（すなわち、一時保留部２０で一時的に保留することなく）各紙幣収納庫３０に金種毎に送って当該紙幣収納庫３０に収納させるようにしてもよい。ここで、図３に示すようなハイブリッド紙幣が各紙幣収納庫３０に収納された後、各紙幣収納庫３０に設けられた紙幣繰出機構３２における左右一対の繰出ローラにより各紙幣収納庫３０に収納されている紙幣が搬送部１６に繰り出される際に、一方の繰出ローラにハイブリッド紙幣における紙部分Ｐ１が接触するとともに他方の繰出ローラにポリマーフィルム部分Ｐ２が接触したときに、繰出ローラに対する紙部分Ｐ１およびポリマーフィルム部分Ｐ２の摩擦係数が異なるため一対の繰出ローラにより搬送部１６に繰り出されたハイブリッド紙幣が斜行してしまうおそれがある。このため、本実施の形態では、紙幣処理機１０において、投入部１２により筐体１１の内部に投入された紙幣が直接的に各紙幣収納庫３０に送られるような運用が行われる場合には、投入部１２の載置部２０１に紙幣が載置される前に、ハイブリッド紙幣をそのおもて面が上向きとなりかつ短手方向の向きが所定の向きとなるよう投入部１２の載置部２０１に載置したときに当該ハイブリッド紙幣のポリマーフィルム部分Ｐ２の幅方向における位置が紙幣収納庫３０に設けられた紙幣繰出機構３２の繰出ローラ３２ａ（図１２参照）の幅方向における位置からずれるよう、投入部１２における左右一対の案内部材２１０、２１２の位置が調整される。このような投入部１２における左右一対の案内部材２１０、２１２の位置の調整方法について図１２を用いて説明する。
【０１１５】
図１２には、ハイブリッド紙幣をそのおもて面が上向きとなりかつ短手方向の向きが所定の向きとなるよう投入部１２の載置部２０１に載置したときの当該ハイブリッド紙幣のポリマーフィルム部分Ｐ２の幅方向における位置が紙幣収納庫３０に設けられた紙幣繰出機構３２の繰出ローラ３２ａの幅方向における位置からずれるよう、図９および図１０に示す投入部１２における左右一対の案内部材２１０、２１２によりハイブリッド紙幣の幅方向における位置を調整する方法が示されている。ここで、図１２において、搬送部１６によるハイブリッド紙幣の搬送方向は右方向となっている。また、搬送部１６の搬送路における、各紙幣収納庫３０の紙幣繰出機構３２の各繰出ローラ３２ａの幅方向における位置と同じ位置を参照符号Ｌ２で示している。また、図１２における投入部１２に位置する紙幣は、おもて面が上向きとなりかつ短手方向の向きが所定の向きとなるよう投入部１２の載置部２０１に載置されたハイブリッド紙幣である。
【０１１６】
紙幣処理機１０において、投入部１２により筐体１１の内部に投入された紙幣が直接的に各紙幣収納庫３０に送られるような運用が行われる場合には、図１２に示すように、紙幣の入金処理を行う前に、ハイブリッド紙幣をそのおもて面が上向きとなりかつ短手方向の向きが所定の向きとなるよう投入部１２の載置部２０１に載置したときに当該ハイブリッド紙幣のポリマーフィルム部分Ｐ２の幅方向における位置が各紙幣収納庫３０の紙幣繰出機構３２の各繰出ローラ３２ａの幅方向における位置からずれるよう、投入部１２における左右一対の案内部材２１０、２１２の位置が調整される。ここで、各案内部材２１０、２１２の位置は操作者によって手動で調整されるようになっていてもよく、あるいは自動で調整されるようになっていてもよい。
【０１１７】
そして、投入部１２における各案内部材２１０、２１２の幅方向の位置が調整された後、操作者は投入部１２における各案内部材２１０、２１２の間に複数の紙幣を積層状態で載置し、操作表示部５２により入金処理開始の指令を制御部５０に与える。なお、この際に、投入部１２の載置部２０１に図３に示すようなハイブリッド紙幣が載置される場合には、当該ハイブリッド紙幣のおもて面が上方を向きかつ短手方向の向きが所定の向きとなるように当該ハイブリッド紙幣が載置部２０１に載置される。そして、入金処理開始の指令が制御部５０に与えられた後、投入部１２の載置部２０１に載置された紙幣は紙幣繰出機構１２ａにより１枚ずつ筐体１１内に繰り出され、搬送部１６により１枚ずつ搬送されるようになる。そして、搬送部１６により搬送される紙幣は識別部１８によりその金種、真偽、表裏、正損、新旧、搬送状態等が識別される。識別部１８により正常な紙幣ではないと識別された紙幣、すなわちリジェクト紙幣は搬送部１６により投出部１４に送られ、当該投出部１４に集積される。このことにより、操作者は投出部１４に集積されたリジェクト紙幣を筐体１１から手動で取り出し、投入部１２に再び載置することができるようになる。一方、識別部１８により正常な紙幣であると識別された紙幣は搬送部１６から各紙幣収納庫３０に金種毎に送られ、当該紙幣収納庫３０に紙幣が金種毎に収納される。ここで、投入部１２における左右一対の案内部材２１０、２１２の位置が上記のように前もって調整されているため、当該紙幣収納庫３０に収納されたハイブリッド紙幣のポリマーフィルム部分Ｐ２の幅方向における位置が各紙幣収納庫３０に設けられた紙幣繰出機構３２の各繰出ローラ３２ａの幅方向における位置からずれるようになる。このことにより、各紙幣収納庫３０において各紙幣繰出機構３２によりこれらの各紙幣収納庫３０に収納されている紙幣を繰り出す際に左右一対の繰出ローラ３２ａにはハイブリッド紙幣における紙部分Ｐ１がそれぞれ接触するようになるため搬送部１６に繰り出される紙幣が斜行してしまうことを防止することができるようになる。
【０１１８】
また、紙幣処理機１０において、投入部１２により筐体１１の内部に投入された紙幣が直接的に各紙幣収納庫３０に送られるような運用が行われる場合でも、投入部１２により筐体１１の内部に投入された紙幣が一時保留部２０で一時的に保留された後に各紙幣収納庫３０に送られるような運用が行われる場合と同様に、識別部１８により識別されたハイブリッド紙幣の表裏の向きや短手方向の向きが所定の向きではないときに、当該紙幣は紙幣処理機１０から投出されるようになっていてもよく、また、識別部１８により識別されたハイブリッド紙幣のポリマーフィルム部分Ｐ２の幅方向における位置が所定の位置ではないときに、当該紙幣は紙幣処理機１０から投出されるようになっていてもよい。識別部１８により識別されたハイブリッド紙幣の表裏の向きや短手方向の向きが所定の向きではないときや、識別部１８により識別されたハイブリッド紙幣のポリマーフィルム部分Ｐ２の幅方向における位置が所定の位置ではないときにおける紙幣処理機１０の動作は、投入部１２により筐体１１の内部に投入された紙幣が一時保留部２０で一時的に保留された後に各紙幣収納庫３０に送られるような運用が行われる場合における上記の動作と略同一となる。
【０１１９】
以上のような構成からなる本実施の形態の紙幣処理機１０やこのような紙幣処理機１０に設けられた一時保留部２０（紙幣収納繰出装置）によれば、制御部５０は、所定の巻き締め条件が満たされたときに、ドラム１３７（紙葉類巻取用回転体）を駆動することによりドラム１３７およびリール１３８（巻取部材巻き戻し部）の間にある帯状の各テープ１３６（巻取部材）に締め付け力を付与するよう駆動モータ１４８（駆動部）を制御するようになっている。このような技術的事項によれば、所定の巻き締め条件が満たされたときに、帯状の各テープ１３６に締め付け力を付与することによって、ポリマーフィルム部分Ｐ２を含むようなハイブリッド紙幣（特殊紙幣）を各テープ１３６によりドラム１３７の外周面上に巻き取る際にもこれらの各テープ１３６がハイブリッド紙幣をドラム１３７の外周面上に向かって締め付ける力を十分なものとすることができ、よってハイブリッド紙幣を各テープ１３６によってドラム１３７に所望の状態で巻き取って当該ドラム１３７に確実に収納させることができる。具体的には、ドラム１３７に収納された複数のハイブリッド紙幣が円錐状となってしまい当該ハイブリッド紙幣の位置がドラム１３７の軸方向にずれてしまうことを防止することができる。なお、本実施の形態では、ドラム１３７およびリール１３８の間にある帯状の各テープ１３６に締め付け力を付与するにあたり、駆動モータ１４８によってドラム１３７を図４や図５における時計回りの方向に回転させる代わりにリール１３８を図４や図５における反時計回りの方向に回転させてもよい。
【０１２０】
また、本実施の形態の紙幣処理機１０やこのような紙幣処理機１０に設けられた一時保留部２０においては、上述したように、制御部５０は、ドラム１３７およびリール１３８の間にある各テープ１３６に締め付け力を付与するようドラム１３７を紙幣の巻取方向（具体的には、図４や図５における時計回りの方向）に回転させた後、当該ドラム１３７を紙幣の巻取方向と逆方向（具体的には、図４や図５における反時計回りの方向）に回転させるよう駆動モータ１４８を制御するようになっていてもよい。この場合には、各テープ１３６がドラム１３７から少しだけ巻き戻され、ドラム１３７への次の紙幣の収納動作に備えることができるようになる。
【０１２１】
また、本実施の形態の紙幣処理機１０やこのような紙幣処理機１０に設けられた一時保留部２０においては、上述したように、制御部５０は、各テープ１３６に締め付け力を付与する際に、ドラム１３７およびリール１３８のうち少なくともいずれか一方の駆動および停止を行うよう駆動モータ１４８を制御するようになっていてもよい。この場合、制御部５０は、ドラム１３７およびリール１３８のうち少なくともいずれか一方の駆動および停止を複数回繰り返すよう駆動モータ１４８を制御するようになっていることが好ましい。また、この場合には、制御部５０において、各テープ１３６に締め付け力を付与する際にドラム１３７およびリール１３８のうち少なくともいずれか一方の駆動および停止を行う回数を設定することができるようになっていてもよい。また、他の例として、制御部５０は、ドラム１３７およびリール１３８のうち少なくともいずれか一方の駆動および停止をそれぞれ１回だけ行うよう駆動モータ１４８を制御するようになっていてもよい。
【０１２２】
また、本実施の形態の紙幣処理機１０やこのような紙幣処理機１０に設けられた一時保留部２０においては、上述したように、所定の巻き締め条件は、一時保留部２０における紙幣の収納動作または繰出動作の完了時であってもよく、あるいは、一時保留部２０における紙幣の収納動作または繰出動作の開始時であってもよい。また、所定の巻き締め条件は、一時保留部２０において紙幣の収納動作または繰出動作が行われているときに所定枚数の紙幣の収納または繰出が行われたときであってもよい。
【０１２３】
また、本実施の形態の紙幣処理機１０やこのような紙幣処理機１０に設けられた一時保留部２０においては、上述したように、制御部５０において、一時保留部２０に一時的に保留されるべき紙幣の種類毎に、各テープ１３６に締め付け力を付与する動作を行うか否かを設定することができるようになっていてもよい。あるいは、制御部５０において、一時保留部２０に一時的に保留されるべき紙幣の金種毎に、各テープ１３６に締め付け力を付与する動作を行うか否かを設定することができるようになっていてもよい。
【０１２４】
また、本実施の形態の紙幣処理機１０においては、上述したように、制御部５０は、識別部１８による紙幣の識別結果に基づいて、当該紙幣が一時保留部２０のドラム１３７の外周面に巻き取られた後に各テープ１３６に締め付け力を付与するか否かを判断するようになっていてもよい。この場合、制御部５０は、識別部１８による紙幣の識別結果に基づいて、所定の特殊紙幣であるハイブリッド紙幣がドラム１３７の外周面に所定枚数巻き取られた場合に、各テープ１３６に締め付け力を付与するよう駆動モータ１４８を制御するようになっていてもよい。あるいは、制御部５０は、識別部１８による紙幣の識別結果に基づいて、所定の特殊紙幣であるハイブリッド紙幣がドラム１３７の外周面に連続して所定枚数巻き取られた場合に、各テープ１３６に締め付け力を付与するよう駆動モータ１４８を制御するようになっていてもよい。
【０１２５】
また、本実施の形態の紙幣処理機１０やこのような紙幣処理機１０に設けられた投入部１２（紙幣繰出装置）によれば、載置部２０１には、紙幣繰出機構１２ａによる紙幣の繰出方向に対して直交する方向である幅方向に沿って並ぶよう左右一対の案内部材２１０、２１２が互いに離間して配置されており、これらの左右一対の案内部材２１０、２１２の間に紙幣が載置されるようになっている。また、左右一対の案内部材２１０、２１２は、幅方向における載置部２０１の略中央位置からの距離を異ならせるよう載置部２０１に配置可能となっている。この場合には、投入部１２の紙幣繰出機構１２ａにより筐体１１の内部に繰り出された紙幣が収納される収納部（具体的には、一時保留部２０や各紙幣収納庫３０）の特定部材（具体的には、一時保留部２０のテープ１３６や各紙幣収納庫３０に設けられた一対の繰出ローラ３２ａ）の幅方向における位置に基づいて、各案内部材２１０、２１２の幅方向における位置を前もって調整することにより載置部２０１に載置される紙幣の幅方向における位置を調整することができるようになるため、収納部にハイブリッド紙幣（特殊紙幣）を適切に収納したり当該収納部からハイブリッド紙幣を適切に繰り出したりすることができるようになる。
【０１２６】
また、本実施の形態の紙幣処理機１０やこのような紙幣処理機１０に設けられた投入部１２（紙幣繰出装置）においては、上述したように、左右一対の案内部材２１０、２１２のうち一方の案内部材（例えば、図１０や図１１における右側の案内部材２１２）の位置は固定されており、他方の案内部材（例えば、図１０や図１１における左側の案内部材２１０）の位置を幅方向に沿って変えることができるようになっていてもよい。あるいは、左右一対の案内部材２１０、２１２の各々を他の案内部材から独立して幅方向に沿って移動させることができるようになっていてもよい。
【０１２７】
また、本実施の形態の紙幣処理機１０やこのような紙幣処理機１０に設けられた投入部１２（紙幣繰出装置）においては、上述したように、左右一対の案内部材２１０、２１２のうち少なくとも一方の案内部材を自動で移動させることができるようになっていてもよい。この場合、指定された情報（例えば、操作者によって事前に操作表示部５２により制御部５０に入力されたハイブリッド紙幣の通貨の種類や金種、サイズ等）に基づいて、左右一対の案内部材２１０、２１２のうち少なくとも一方の案内部材が自動で移動させられるようになっていてもよい。
【０１２８】
また、本実施の形態の紙幣処理機１０やこのような紙幣処理機１０に設けられた投入部１２（紙幣繰出装置）においては、上述したように、壁部材２０２には、案内部材２１０、２１２の位置決めを行う目安となる目印２１４、２１６が設けられている。このことにより、案内部材２１０、２１２を操作者が手動で移動させることによりこれらの案内部材２１０、２１２の位置を調整する場合には、目印２１４、２１６に基づいて案内部材２１０、２１２の位置決めを精度良く行うことができるようになる。なお、このような目印２１４、２１６は、ハイブリッド紙幣の通貨の種類や金種、サイズ等に対応して設けられていてもよい。
【０１２９】
また、本実施の形態の紙幣処理機１０においては、上述したように、投入部１２により筐体１１の内部に繰り出された紙幣が収納される収納部として一時保留部２０が用いられ、この一時保留部２０は、ドラム１３７（紙葉類巻取用回転体）の外周面上に紙幣を巻き取る帯状のテープ１３６（巻取部材）を上記の特定部材として有している。そして、投入部１２により筐体１１の内部に繰り出されるべき紙幣の所定の特徴部分（具体的には、ハイブリッド紙幣におけるポリマーフィルム部分Ｐ２）の幅方向における位置が一時保留部２０のテープ１３６の幅方向における位置と少なくとも一部分が重なるよう、投入部１２において一対の案内部材２１０、２１２の幅方向における位置が設定されるようになっている。このことにより、一時保留部２０においてハイブリッド紙幣のポリマーフィルム部分Ｐ２をテープ１３６によりドラム１３７の外周面上に直接締め付けることができるようになり、このため一時保留部２０のドラム１３７にハイブリッド紙幣を適切に収納することができるようになる。
【０１３０】
また、本実施の形態の紙幣処理機１０においては、上述したように、投入部１２により筐体１１の内部に繰り出された紙幣が収納される収納部として各紙幣収納庫３０が用いられるようになっていてもよい。各紙幣収納庫３０は、積層状態で収納されている紙幣を当該紙幣収納庫３０から繰り出すための紙幣繰出機構３２（具体的には、一対の繰出ローラ３２ａ）を上記の特定部材として有している。そして、投入部１２により筐体１１の内部に繰り出されるべき紙幣の所定の特徴部分（具体的には、ハイブリッド紙幣におけるポリマーフィルム部分Ｐ２）の幅方向における位置が各紙幣収納庫３０に設けられた紙幣繰出機構３２の一対の繰出ローラ３２ａの幅方向における位置からずれるよう、投入部１２において一対の案内部材２１０、２１２の幅方向における位置が設定されるようになっている。このことにより、各紙幣収納庫３０において各紙幣繰出機構３２により各紙幣収納庫３０に収納されている紙幣を繰り出す際に左右一対の繰出ローラ３２ａにはハイブリッド紙幣における紙部分Ｐ１がそれぞれ接触するようになるため搬送部１６に繰り出される紙幣が斜行してしまうことを防止することができるようになる。
【０１３１】
なお、本実施の形態による紙幣処理機１０やこの紙幣処理機１０に設けられた一時保留部２０（紙幣収納繰出装置）は、上述したような態様に限定されることはなく、様々な変更を加えることができる。
【０１３２】
例えば、本実施の形態による紙幣処理機１０は投出部１４を２つ以上備えていてもよく、ある投出部１４に、紙幣の表裏の向きや短手方向の向きが所定の向きではないと識別部１８により識別された紙幣を投出し、他方の投出部１４に、それ以外のリジェクト紙幣を投出するようになっていてもよい。また、紙幣の表裏の向きや短手方向の向きが所定の向きではないと識別部１８により識別された紙幣が投出された場合に、報知部（具体的には、操作表示部５２）によりこのことが操作者に報知されるようになっていてもよい。
【０１３３】
また、本実施の形態による一時保留部は、図４乃至図６に示すような２本のテープ１３６が設けられた一時保留部２０に限定されることはない。本実施の形態による一時保留部として、並列に設けられた３本以上のテープにより紙幣をドラムの外周面に巻き付けるものや、１本のテープのみによって紙幣をドラムの外周面に巻き付けるものが用いられるようになっていてもよい。
【０１３４】
また、所定の巻き締め条件が満たされたときに各テープ１３６に対して巻き締め動作を行うという本発明の第１の原理や、一対の案内部材２１０、２１２は、幅方向における載置部２０１の略中央位置からの距離を異ならせるよう載置部２０１に配置可能となっているという本発明の第２の原理を紙幣処理機１０に適用するにあたり、紙幣処理機１０の処理対象となる特殊紙幣として、ポリマーフィルム部分を含むようなハイブリッド紙幣以外にも、セキュリティスレッドが剥がれた紙幣、切れ券、透明ポリマー紙幣（具体的には、ＯＨＰシート等の透明なシートに紙幣の図柄が印刷されたもの）、セロハンテープが貼られた紙幣、固くこわばってしなやかではない紙幣、文字が彫られたエンボス紙幣等が用いられてもよい。すなわち、本実施の形態の紙幣処理機１０においてこれらの紙幣が一時保留部２０に一時的に保留される場合に、所定の巻き締め条件が満たされたときに、帯状の各テープ１３６に締め付け力を付与することによって、ハイブリッド紙幣以外の特殊紙幣を各テープ１３６によりドラム１３７の外周面上に巻き取る際にもこれらの各テープ１３６が特殊紙幣をドラム１３７の外周面上に向かって締め付ける力を十分なものとすることができ、よって特殊紙幣を各テープ１３６によってドラム１３７に所望の状態で巻き取って当該ドラム１３７に確実に収納させることができる。また、本実施の形態の紙幣処理機１０においてこれらの紙幣が一時保留部２０や各紙幣収納庫３０等に送られる前に、一時保留部２０のテープ１３６や各紙幣収納庫３０の紙幣繰出機構３２等の幅方向における位置に基づいて、一対の案内部材２１０、２１２の位置が設定されるようになっていてもよい。この場合でも、一時保留部２０や各紙幣収納庫３０等からなる収納部に上記の特殊紙幣を適切に収納したり当該収納部から上記の特殊紙幣を適切に繰り出したりすることができるようになる。
【０１３５】
また、本実施の形態の紙幣処理機１０では、一時保留部２０に一時的に保留される前の紙幣は識別部１８によってその新旧が識別されるようになっているが、識別部１８により新券であると識別された紙幣がドラム１３７の外周面に所定枚数巻き取られた場合に、あるいは識別部１８により新券であると識別された紙幣がドラム１３７の外周面に連続して所定枚数巻き取られた場合に、所定の巻き締め条件が満たされたと判断され、各テープ１３６に締め付け力を付与するよう駆動モータ１４８が制御部５０により制御されるようになっていてもよい。識別部１８により新券であると識別された紙幣は旧券と比較して概してコシが強いため、このようなコシが強い新券が各テープ１３６によってドラム１３７に巻き取られる場合には、各テープ１３６に対して上記の巻き締め動作を行うことにより、比較的コシが強い新券を各テープ１３６がドラム１３７の外周面上に向かって締め付ける力を十分なものとすることができ、よって新券を各テープ１３６によってドラム１３７に所望の状態で巻き取って当該ドラム１３７に確実に収納させることができるようになる。
【０１３６】
また、本実施の形態の紙幣処理機１０では、一時保留部２０に一時的に保留される前の紙幣は識別部１８によってその表裏が識別されるようになっているが、識別部１８により例えばおもて面が上であると識別された紙幣を一時保留部２０に一時的に保留させ、識別部１８により例えば裏面が上であると識別された紙幣を投出部１４に送るようにしてもよい。この場合には、一時保留部２０に一時的に保留される紙幣の表裏の向きをそろえることができるため、図３に示すようなハイブリッド紙幣が一時保留部２０のドラム１３７に複数収納される際に各ハイブリッド紙幣のポリマーフィルム部分Ｐ２が同じ向きで積み重なるようになる。このことにより、各ハイブリッド紙幣のポリマーフィルム部分Ｐ２が湾曲している場合に、湾曲している各ポリマーフィルム部分Ｐ２が同じ向きで重なるようになるため、ドラム１３７上で複数のハイブリッド紙幣が積み重なった場合でもポリマーフィルム部分Ｐ２が積み重なった部分の厚さが大きくなり過ぎることを防止することができる。このため、ドラム１３７に収納された複数のハイブリッド紙幣が円錐状となってしまい当該ハイブリッド紙幣の位置がドラム１３７の軸方向にずれてしまうことを防止することができる。
【０１３７】
また、制御部５０は、所定の巻き締め条件が満たされたときに各テープ１３６に対して巻き締め動作を行う代わりに、所定の巻き締め条件が満たされるとそれ以降にドラム１３７やリール１３８を回転させる際における駆動モータ１４８のトルクを大きくするよう当該駆動モータ１４８を制御してもよい。この場合にも、駆動モータ１４８のトルクを大きくすることによりドラム１３７やリール１３８を回転させる力が大きくなるため、ハイブリッド紙幣等の特殊紙幣を各テープ１３６によりドラム１３７の外周面上に巻き取る際にこれらの各テープ１３６が特殊紙幣をドラム１３７の外周面上に向かって締め付ける力を十分なものとすることができ、よってハイブリッド紙幣等の特殊紙幣を各テープ１３６によってドラム１３７に所望の状態で巻き取って当該ドラム１３７に確実に収納させることができるようになる。
【０１３８】
また、図４乃至図６に示すような一時保留部２０では、ドラム１３７およびリール１３８をそれぞれ回転させるにあたり１つの駆動モータ１４８が用いられるようになっているが、本実施の形態による一時保留部の構成はこのようなものに限定されることはない。変形例に係る一時保留部において、ドラム１３７を回転させる第１駆動モータ（第１駆動部）およびリール１３８を回転させる第２駆動モータ（第２駆動部）がそれぞれ設置されるようになっていてもよい。この場合にも、制御部５０は、所定の巻き締め条件が満たされたときに、ドラム１３７およびリール１３８のうち少なくともいずれか一方を駆動することによりドラム１３７およびリール１３８の間にある各テープ１３６に締め付け力を付与するよう、第１駆動モータおよび第２駆動モータのうち少なくともいずれか一方を制御するようになる。
【０１３９】
また、図４乃至図６に示すような一時保留部２０では、複数（具体的には、２本）のテープ１３６に対して１つの駆動系（具体的には、駆動モータ１４８）が用いられるようになっているが、本実施の形態による一時保留部の構成はこのようなものに限定されることはない。変形例に係る一時保留部において、複数のテープ１３６の各々に対応するよう複数の駆動系が設けられていてもよい。このような構成の一時保留部について図１３を用いて説明する。図１３は、変形例に係る一時保留部２０ａにおけるリール１３８の近傍の各構成部材を示す斜視図である。
【０１４０】
変形例に係る一時保留部２０ａでは、図１３に示すように、１つのリール軸１４９に２つのリール１３８が取り付けられるのはなく、各リール１３８に対応するよう複数のリール軸１４９が設けられている。また、各リール１３８には、当該リール１３８を回転させる駆動モータ１９８がそれぞれ設けられている。また、変形例に係る一時保留部２０ａでは、図示しないがドラム１３７は軸方向に沿って２つのドラム部分に分割されており、各ドラム部分には、これらのドラム部分を回転させる駆動モータがそれぞれ設けられている。このように、変形例に係る一時保留部２０ａでは、複数のテープ１３６の各々に対応して、分割されたドラム部分を回転させる第１駆動モータおよびリール１３８を回転させる第２駆動モータ（具体的には、駆動モータ１９８）がそれぞれ設置されるようになっている。
【０１４１】
そして、このような変形例に係る一時保留部２０ａでは、制御部５０は、所定の巻き締め条件が満たされたときに、２本のテープ１３６のうち特定の一部のテープ１３６に締め付け力を付与するよう当該テープ１３６に対応する第１駆動モータや第２駆動モータを制御するようになっている。具体的には、変形例に係る一時保留部２０ａに図３に示すようなハイブリッド紙幣が同じ向きで複数保留される場合には、２本のテープ１３６のうちハイブリッド紙幣のポリマーフィルム部分Ｐ２に近い側のテープ１３６による締付力は、複数のテープ１３６のうち当該ポリマーフィルム部分Ｐ２から遠い側のテープ１３６による締付力よりも弱くなってしまう。このため、制御部５０は、所定の巻き締め条件が満たされたときに、２本のテープ１３６のうちハイブリッド紙幣のポリマーフィルム部分Ｐ２に近い側のテープ１３６のみに締め付け力を付与するようこのテープ１３６に対応する第１駆動モータや第２駆動モータを制御し、２本のテープ１３６のうちハイブリッド紙幣のポリマーフィルム部分Ｐ２から遠い側のテープ１３６には締め付け力を付与しないようにする。制御部５０がこのような制御を行った場合でも、２本のテープ１３６のうちハイブリッド紙幣のポリマーフィルム部分Ｐ２に近い側のテープ１３６に締め付け力が付与されることによって、ドラム１３７に収納された複数のハイブリッド紙幣が円錐状となってしまい当該ハイブリッド紙幣の位置がドラム１３７の軸方向にずれてしまうことを防止することができる。
【０１４２】
また、変形例に係る一時保留部２０ａでは、複数のリール軸１４９の状態を比較することで、ハイブリッド紙幣が円錐状となっていることを予測することができる。具体的には、各リール１３８のパルス数を検知し、各リール１３８のパルス数を比較してリール１３８同士の回転スピードの差を検出することで、ハイブリッド紙幣の巻き取り状態を予測し、このことによりハイブリッド紙幣が円錐状となっていることを予測できる。この予測方法は複数のドラム軸が存在する場合にも適用することができる。
【０１４３】
また、本実施の形態の紙幣処理機１０において、複数のテープ１３６にメモリを付けておき、各テープ１３６のメモリの通過スピードを比較してドラム１３７の膨らみの差を検出することで、ハイブリッド紙幣の巻き取り状態を予測し、このことによりハイブリッド紙幣が円錐状となっていることを予測してもよい。さらに、ドラム１３７に複数の当接ガイドを設けておき、各当接ガイドの振れ幅を比較してドラム１３７の膨らみの差を検出することで、ハイブリッド紙幣の巻き取り状態を予測し、このことによりハイブリッド紙幣が円錐状となっていることを予測してもよい。
【０１４４】
また、本実施の形態の紙幣処理機１０において、識別部１８にて検知した各ハイブリッド紙幣のポリマーフィルム部分Ｐ２の搬送幅方向における位置情報、およびドラム１３７に巻き取ったハイブリッド紙幣の枚数情報からハイブリッド紙幣の巻き取り状態を予測し、このことによりハイブリッド紙幣が円錐状となっていることを予測してもよい。なお、識別部１８によるハイブリッド紙幣のポリマーフィルム部分Ｐ２の幅方向における位置の検知方法については、図８Ａを用いて既に説明した通りである。そして、紙幣の幅方向における一方の側にポリマーフィルム部分Ｐ２がある紙幣の枚数と他方の側にポリマーフィルム部分Ｐ２がある紙幣の枚数との差が所定枚数となったときに、ハイブリッド紙幣が円錐状となっていると予測してもよい。さらにポリマーフィルム部分Ｐ２の厚さは紙幣の種類ごとに異なるため、設定にて上記の所定枚数を変更することができてもよい。
【０１４５】
上記の様々な予測方法では、比較を行うリール軸１４９やテープ１３６の数が多いほど、ドラム１３７の巻き取り状態を正確に把握することができるようになる。
【０１４６】
また、本実施の形態の紙幣処理機１０では、一時保留部２０に一時的に保留される前の紙幣は識別部１８によってその表裏が識別されるようになっているが、識別部１８により各ハイブリッド紙幣のポリマーフィルム部分Ｐ２の幅方向における位置情報を検知し、その位置情報に基づいて、当該紙幣を一時保留部２０に搬送するか否かを判断してもよい。具体的には、ドラム１３７の軸方向に直交する方向から見て当該ドラム１３７に収納された紙幣の例えば右側が膨らんだ円錐状となっている場合には、幅方向における左側にポリマーフィルム部分Ｐ２が存在すると識別部１８により判断されたハイブリッド紙幣のみが一時保留部２０に送られ、それ以外の紙幣（すなわち、幅方向における中央や右側にポリマーフィルム部分Ｐ２が存在すると識別部１８により判断されたハイブリッド紙幣）は投出部１４に送られて筐体１１の外部にリジェクトされるようになる。また、ドラム１３７の軸方向に直交する方向から見て当該ドラム１３７に収納された紙幣の中央が膨らんだ状態となっている場合には、投入部１２により筐体１１の内部に投入され識別部１８により識別された紙幣は全て投出部１４に送られて筐体１１の外部にリジェクトされるか、あるいは幅方向における左側または右側にポリマーフィルム部分Ｐ２が存在すると識別部１８により判断されたハイブリッド紙幣のみが一時保留部２０に送られるようになる。
【０１４７】
このような技術的内容によれば、ドラム１３７が一方側に膨らんだ円錐状となってしまっても、他方側にポリマーフィルム部分Ｐ２を持つ紙幣のみをドラムに巻き取り可能とすることにより、ドラム１３７への巻取り枚数上限を増やすとともに、ドラム１３７の円錐状化を軽減することができる。
【０１４８】
また、このような技術的内容は、紙幣を積層状態で集積する紙幣収納庫３０や紙幣収納カセット４０に適用してもよい。すなわち紙幣の積層状態がハイブリッド紙幣のポリマーフィルム部分Ｐ２により片方に傾いてしまっていても、他方側にポリマーフィルム部分Ｐ２のあるハイブリッド紙幣を紙幣収納庫３０や紙幣収納カセット４０に収納させることで、紙幣収納庫３０や紙幣収納カセット４０における紙幣の集積上限を増やすとともに、積層状態の傾きを軽減することができる。この際に、紙幣収納庫３０や紙幣収納カセット４０の内部における天井部分の近傍に、光センサや透過センサ等のセンサを複数設け、これらのセンサにより紙幣収納庫３０や紙幣収納カセット４０における紙幣の集積状態（具体的には、紙幣収納庫３０や紙幣収納カセット４０に収納された紙幣の傾き）を検知してもよい。あるいは、識別部１８にて検知した各ハイブリッド紙幣のポリマーフィルム部分Ｐ２の搬送幅方向における位置情報、およびドラム１３７に巻き取ったハイブリッド紙幣の枚数情報から紙幣収納庫３０や紙幣収納カセット４０における紙幣の集積状態（具体的には、紙幣収納庫３０や紙幣収納カセット４０に収納された紙幣の傾き）を予測してもよい。
【０１４９】
また、本実施の形態による紙幣処理機として、図１４に示すような構成のものが用いられてもよい。図１４に示すような変形例に係る紙幣処理機１０ａでは、紙幣を収納するための収納部として、複数の紙幣が積層状態で集積されるような紙幣収納庫３０が設けられる代わりに、テープにより紙幣をドラムの外周面に巻き付けるような収納繰出部６０が設けられるようになる。具体的には、変形例に係る紙幣処理機１０ａにおいて、図１４に示すように、搬送部１６には複数（具体的には、８つ）の収納繰出部６０が接続されており、搬送部１６から各収納繰出部６０に紙幣が金種毎に送られて当該収納繰出部６０に収納されるとともに、収納繰出部６０に収納されている紙幣は当該収納繰出部６０から搬送部１６に１枚ずつ繰り出されるようになっている。このような紙幣処理機１０ａでは、各収納繰出部６０の構成は図４乃至図６に示すような一時保留部２０の構成と略同一となっている。
【０１５０】
図１４に示すような変形例に係る紙幣処理機１０ａでは、紙幣の入金処理が行われる際に、投入部１２から筐体１１の内部に投入された紙幣が一時保留部２０に一時的に保留された後、当該一時保留部２０から紙幣が１枚ずつ搬送部１６に繰り出され、この搬送部１６により紙幣が識別部１８を通過するよう搬送させられた後、各収納繰出部６０に紙幣が金種毎に送られるようになる。また、このような紙幣処理機１０ａでは、制御部５０は、各収納繰出部６０において所定の巻き締め条件が満たされたときに、当該収納繰出部６０のテープに締め付け力を付与するようこの収納繰出部６０のドラムやリールの駆動モータを制御するようになっている。また、このような紙幣処理機１０ａでは、制御部５０において、各収納繰出部６０毎に、テープに締め付け力を付与するか否かを設定することができるようになっている。より詳細には、図１４に示すような変形例に係る紙幣処理機１０ａでは、各収納繰出部６０にそれぞれ紙幣の金種が割り当てられているが、ハイブリッド紙幣の金種に対応する収納繰出部６０については所定の巻き締め条件が満たされたときに当該収納繰出部６０のテープに締め付け力を付与するようにし、それ以外の収納繰出部６０については所定の巻き締め条件が満たされても当該収納繰出部６０のテープに締め付け力を付与しないようになっている。
【０１５１】
なお、図１４に示すような紙幣処理機１０ａにおいて、紙幣の入金処理が行われる際に、投入部１２により筐体１１の内部に投入された紙幣を一時保留部２０で一時的に保留した後に各収納繰出部６０に送って当該収納繰出部６０に収納させる代わりに、投入部１２により筐体１１の内部に投入された紙幣を直接的に（すなわち、一時保留部２０で一時的に保留させることなく）各収納繰出部６０に送って当該収納繰出部６０に収納させるようにしてもよい。この場合には、投入部１２の載置部２０１に紙幣が載置される前に、ハイブリッド紙幣をそのおもて面が上向きとなりかつ短手方向の向きが所定の向きとなるよう投入部１２の載置部２０１に載置したときに当該ハイブリッド紙幣のポリマーフィルム部分Ｐ２の幅方向における位置が収納繰出部６０に設けられたテープの幅方向における位置と少なくとも一部が重なるよう、投入部１２における左右一対の案内部材２１０、２１２の位置が調整される。このことにより、収納繰出部６０においてハイブリッド紙幣のポリマーフィルム部分Ｐ２をテープによりドラムの外周面上に直接締め付けることができるようになる。このため各収納繰出部６０においてドラムにハイブリッド紙幣を適切に収納することができるようになる。また、投入部１２により筐体１１の内部に投入された紙幣を直接的に（すなわち、一時保留部２０で一時的に保留させることなく）各収納繰出部６０に送って当該収納繰出部６０に収納させる場合でも、各収納繰出部６０において所定の巻き締め条件が満たされたときに、制御部５０が当該収納繰出部６０のテープに締め付け力を付与するようこの収納繰出部６０のドラムやリールの駆動モータを制御することにより、収納繰出部６０においてハイブリッド紙幣をテープによってドラムに所望の状態で巻き取って当該ドラムに確実に収納させることができる。このため、収納繰出部６０においてドラムに収納された複数のハイブリッド紙幣が円錐状となってしまい当該ハイブリッド紙幣の位置がドラムの軸方向にずれてしまうことを防止することができる。
【０１５２】
また、本実施の形態による一時保留部として、図４乃至図６に示すような一時保留部２０の代わりに、図１５に示す一時保留部２０ｂのように、一対の帯状のテープ２５０、２５２の間に紙幣を挟み込んだ状態でこれらの一対のテープ２５０、２５２をドラム２４２に巻き取ることによって複数の紙幣を１枚ずつドラム２４２に収納するとともに、ドラム２４２から一対のテープ２５０、２５２を巻き戻すことによって紙幣を１枚ずつドラム２４２から巻き出す方式のものが用いられてもよい。このような別の変形例に係る一時保留部２０ｂの構成について以下に説明する。
【０１５３】
図１５に示すような別の変形例に係る一時保留部２０ｂは、回転自在となっているドラム２４２と、その一端がそれぞれドラム２４２の外周面に接続された一対の帯状のテープ２５０、２５２と、回転自在となっており一対の帯状のテープ２５０、２５２のうち一方のテープ２５０の他端がその外周面に接続された第１のリール２４４と、回転自在となっており一対の帯状のテープ２５０、２５２のうち他方のテープ２５２の他端がその外周面に接続された第２のリール２４６とを有している。
【０１５４】
ドラム２４２はドラム軸２４２ａを中心として図１５における時計回りの方向および反時計回りの方向の両方に回転することができるようになっている。具体的には、一時保留部２０ｂの外部から出入口２５８を介して当該一時保留部２０ｂの内部に送られた紙幣をドラム２４２に収納する際には、当該ドラム２４２は図１５における反時計回りの方向に回転し、出入口２５８から一対の帯状のテープ２５０、２５２の間に送られた紙幣がこれらのテープ２５０、２５２により挟み込まれた状態で一対のテープ２５０、２５２ごと紙幣がドラム２４２に巻き取られるようになる。一方、ドラム２４２に収納された紙幣を、出入口２５８を介して一時保留部２０ｂの外部に繰り出す際には、当該ドラム２４２は図１５における時計回りの方向に回転し、ドラム２４２から一対のテープ２５０、２５２を巻き戻すことによってこれらの一対のテープ２５０、２５２の間に挟まれた状態にある紙幣が解放されて出入口２５８に送られるようになる。
【０１５５】
また、図１５に示すように、ドラム２４２を回転駆動させる駆動モータ２４８が設けられている。より詳細には、駆動モータ２４８には回転軸を介してプーリ（図示せず）が接続されており、このプーリには駆動ベルト（図示せず）が掛け渡されている。また、ドラム２４２のドラム軸２４２ａにもプーリ（図示せず）が接続されており、このプーリに上記の駆動ベルトが掛け渡されている。このことにより、駆動モータ２４８が駆動ベルトを回転駆動させると、当該駆動ベルトを介して駆動モータ２４８による回転駆動力がドラム軸２４２ａに伝達され、ドラム２４２が回転駆動されるようになる。
【０１５６】
第１のリール２４４の外周面には、一対の帯状のテープ２５０、２５２のうち一方のテープ２５０の他端が接続されており、当該第１のリール２４４にテープ２５０が巻かれるようになっている。また、第１のリール２４４はリール軸２４４ａを中心として図１５における時計回りの方向および反時計回りの方向の両方に回転することができるようになっている。ここで、第１のリール２４４が図１５における反時計回りの方向に回転することにより、テープ２５０が第１のリール２４４に巻回されるようになり、一方、第１のリール２４４が図１５における時計回りの方向に回転することにより、第１のリール２４４に巻き取られたテープ２５０が巻き戻されるようになる。
【０１５７】
第２のリール２４６の外周面には、一対の帯状のテープ２５０、２５２のうち他方のテープ２５２の他端が接続されており、当該第２のリール２４６にテープ２５２が巻かれるようになっている。また、第２のリール２４６はリール軸２４６ａを中心として図１５における時計回りの方向および反時計回りの方向の両方に回転することができるようになっている。ここで、第２のリール２４６が図１５における時計回りの方向に回転することにより、テープ２５２が第２のリール２４６に巻回されるようになり、一方、第２のリール２４６が図１５における反時計回りの方向に回転することにより、第２のリール２４６に巻き取られたテープ２５２が巻き戻されるようになる。
【０１５８】
また、一時保留部２０ｂの出入口２５８の近傍において、テープ２５０を案内する案内ローラ２５４およびテープ２５２を案内する案内ローラ２５６がわずかな隙間を隔てて互いに対向するよう配置されている。一時保留部２０ｂの外部から出入口２５８を介して当該一時保留部２０ｂの内部に送られた紙幣は、これらの案内ローラ２５４、２５６の間を通過した後、一対のテープ２５０、２５２に挟まれてドラム２４２に巻き取られるようになっている。
【０１５９】
また、図１５に示すように、ドラム２４２の下方には可動ガイド２７０が設けられている。この可動ガイド２７０は、案内ローラ２５６の軸と同軸で設けられた軸２７１を中心として回転するようになっており、また、当該軸２７１を中心として可動ガイド２７０を図１５における反時計回りの方向に付勢するバネ等の付勢手段が設けられている。このような付勢手段により可動ガイド２７０が軸２７１を中心として図１５における反時計回りの方向に付勢されるようになる。このような可動ガイド２７０が設けられていることによって、一時保留部２０ｂの外部から出入口２５８を介して当該一時保留部２０ｂの内部に送られた紙幣が案内ローラ２５４、２５６の間を通過した後、可動ガイド２７０により案内されることにより一対のテープ２５０、２５２とともにドラム２４２に適切に巻かれるようになる。
【０１６０】
図１５に示すような別の変形例に係る一時保留部２０ｂでも、図１乃至図１２に示すような一時保留部２０と同様に、制御部５０は、所定の巻き締め条件が満たされたときに、ドラム２４２を駆動することによりドラム２４２と第１のリール２４４との間にある帯状のテープ２５０およびドラム２４２と第２のリール２４６との間にある帯状のテープ２５２にそれぞれ締め付け力を付与するよう駆動モータ２４８を制御するようになっている。このような技術的事項によれば、所定の巻き締め条件が満たされたときに、帯状の各テープ２５０、２５２に締め付け力を付与することによって、図３に示すようなポリマーフィルム部分Ｐ２を含むハイブリッド紙幣等の特殊紙幣を各テープ２５０、２５２の間に挟んでこれらのテープ２５０、２５２ごと特殊紙幣をドラム２４２の外周面上に巻き取る際にもこれらの各テープ２５０、２５２が特殊紙幣をドラム２４２の外周面上に向かって締め付ける力を十分なものとすることができる。このことにより、ハイブリッド紙幣等の特殊紙幣を各テープ２５０、２５２によってドラム２４２に所望の状態で巻き取って当該ドラム２４２に確実に収納させることができるようになる。なお、本実施の形態では、ドラム２４２および各リール２４４、２４６の間にある帯状の各テープ２５０、２５２に締め付け力を付与するにあたり、駆動モータ２４８によってドラム２４２を図１５における反時計回りの方向に回転させる代わりに第１のリール２４４を図１５における反時計回りの方向に回転させるとともに第２のリール２４６を図１５における時計回りの方向に回転させてもよい。
【０１６１】
また、本実施の形態による一時保留部では、図４乃至図６に示す一時保留部２０ａのような円筒状のドラム１３７が用いられる代わりに、図１６や図１７に示すような形状のドラム１３７ａ、１３７ｂが用いられてもよい。図１６に示すドラム１３７ａでは、その両端近傍の箇所が先細のテーパ部分１３７ｍとなっている。より詳細には、図１６に示すドラム１３７ａの外周面において２本のテープ１３６がそれぞれ巻かれるべき箇所よりも外側の箇所が先細のテーパ部分１３７ｍとなっている。
【０１６２】
図１６に示すような形状のドラム１３７ａに図３に示すようなハイブリッド紙幣が複数収納される際に、各ハイブリッド紙幣のポリマーフィルム部分Ｐ２が同じ向きで積み重なる場合でも、このポリマーフィルム部分Ｐ２が積み重なる箇所はドラム１３７ａにおける先細のテーパ部分１３７ｍとなる。このことにより、ドラム１３７ａに収納される各ハイブリッド紙幣のポリマーフィルム部分Ｐ２が積み重なった部分の厚さが大きくなった場合でも、各ハイブリッド紙幣のポリマーフィルム部分Ｐ２がドラム１３７ａにおける先細のテーパ部分１３７ｍに入ることにより、ドラム１３７ａに収納された複数のハイブリッド紙幣が円錐状となってしまい当該ハイブリッド紙幣の位置がドラム１３７ａの軸方向にずれてしまうことを防止することができる。
【０１６３】
また、図１７に示すドラム１３７ｂでは、その両端近傍の箇所が中央部分よりも外径が小さい凹部分１３７ｎとなっている。より詳細には、図１７に示すドラム１３７ｂの外周面において２本のテープ１３６がそれぞれ巻かれるべき箇所よりも外側の箇所が凹部分１３７ｎとなっている。
【０１６４】
図１７に示すような形状のドラム１３７ｂに図３に示すようなハイブリッド紙幣が複数収納される際に、各ハイブリッド紙幣のポリマーフィルム部分Ｐ２が同じ向きで積み重なる場合でも、このポリマーフィルム部分Ｐ２が積み重なる箇所はドラム１３７ｂにおける凹部分１３７ｎとなる。このことにより、ドラム１３７ｂに収納される各ハイブリッド紙幣のポリマーフィルム部分Ｐ２が積み重なった部分の厚さが大きくなった場合でも、各ハイブリッド紙幣のポリマーフィルム部分Ｐ２がドラム１３７ｂにおける凹部分１３７ｎに入ることにより、ドラム１３７ｂに収納された複数のハイブリッド紙幣が円錐状となってしまい当該ハイブリッド紙幣の位置がドラム１３７ｂの軸方向にずれてしまうことを防止することができる。
【０１６５】
また、本発明では、図１乃至図１２に示すような紙幣処理機１０や図１４に示すような紙幣処理機１０ａが用いられる代わりに、図１８乃至図２０に示すような紙幣計数機３００が用いられてもよい。このような紙幣計数機３００の構成の概略について以下に説明する。なお、図１８は、別の変形例に係る紙幣計数機３００の構成を示す斜視図であり、図１９は、図１８に示す紙幣計数機３００の内部構成を示す概略構成図である。また、図２０は、図１８に示す紙幣計数機３００において、ハイブリッド紙幣のポリマーフィルム部分Ｐ２の幅方向における位置が集積部３３０に設けられた羽根車３３２の幅方向における位置からずれるよう、投入部３１０における一対の案内部材３４０、３４２によりハイブリッド紙幣の幅方向における位置を調整する方法を示す説明図である。
【０１６６】
図１８および図１９に示すように、紙幣計数機３００は、筐体３０２と、筐体３０２の前面上部に設けられ、当該筐体３０２の外部から内部に紙幣を投入するための投入部３１０と、筐体３０２の前面下部に設けられ、当該筐体３０２の内部に投入された紙幣が集積される集積部３３０を備えている。また、紙幣計数機３００の筐体３０２内には、紙幣を１枚ずつ搬送する搬送部３１２が設けられている。投入部３１０は、操作者により複数の紙幣が積層状態で載置されるホッパ等からなり、当該投入部３１０には、載置された紙幣を１枚ずつ筐体３０２の内部に繰り出して搬送部３１２に送る繰出ローラ等の紙幣繰出機構３１０ａが設けられている。このような構成により、投入部３１０に載置された紙幣は紙幣繰出機構３１０ａにより筐体３０２の内部に１枚ずつ繰り出されて搬送部３１２に送られた後、当該搬送部３１２により筐体３０２内で１枚ずつ搬送されるようになる。図１８および図１９に示すように紙幣計数機３００では、投入部３１０には紙幣の束が短手方向に沿って投入されるようになっており、搬送部３１２は、紙幣をその短手方向に沿って搬送するようになっている。このような投入部３１０の構成の詳細については後述する。
【０１６７】
また、搬送部３１２には識別部３１４が設けられており、この識別部３１４によって、搬送部３１２により搬送される紙幣の金種、真偽、表裏、正損、新旧、搬送状態等の識別が行われるようになっている。また、識別部３１４よりも下流側の箇所で搬送部３１２は分岐しており、分岐先の一方には上記の集積部３３０が設けられ、分岐先の他方にはリジェクト紙幣が集積されるリジェクト部３２０が設けられている。より詳細には、搬送部３１２における分岐箇所には分岐部材３１６が設けられており、当該分岐部材３１６によって搬送部３１２により搬送される紙幣が集積部３３０およびリジェクト部３２０のうちいずれか一方に送られるようになっている。
【０１６８】
また、集積部３３０は、筐体３０２の前面に面した開口を介して当該筐体３０２の外部からアクセス可能となっている。また、集積部３３０の開口にはシャッター３３６が設けられており、当該シャッター３３６により集積部３３０の開口の開閉が行われるようになっている。すなわち、シャッター３３６が図１９における実線位置から二点鎖線位置に移動して集積部３３０の開口が開かれたときに、操作者は集積部３３０にアクセスして当該集積部３３０から紙幣を取り出すことができるようになる。
【０１６９】
また、図１９に示すように、集積部３３０の奥側には羽根車３３２が設けられており、当該羽根車３３２は、図１９の紙面に対して直交する、略水平方向に延びる軸３３２ａを中心として、図１９における反時計回りの方向に回転するようになっている。羽根車３３２には、外周面から回転方向とは逆方向（すなわち、図１９における時計回りの方向）の外方に延びる複数の羽根３３２ｂが設けられている。これらの羽根３３２ｂは、図１９に示すように羽根車３３２の外周面において等間隔に設けられている。紙幣計数機３００において紙幣の計数処理が行われている間、羽根車３３２は、図１９における反時計回りの方向に回転しながら、搬送部３１２から送られた紙幣を２枚の羽根３３２ｂの間に受け止めるようになっている。そして、羽根車３３２の２枚の羽根３３２ｂの間に受け止められた紙幣が集積部３３０に送られ、当該集積部３３０に積層状態で集積されるようになる。このような羽根車３３２が設けられていることにより、集積部３３０において複数の紙幣が整列された状態で集積されるようになる。なお、図２０に示すように、集積部３３０において羽根車３３２は左右一対となるよう配置されている。
【０１７０】
また、図１９に示すように、搬送部３１２における各羽根車３３２の上流側には一対の搬送ローラ３３４が互いに当接するように設けられており、搬送部３１２により搬送される紙幣が分岐部材３１６により集積部３３０側に分岐された後、当該紙幣は一対の搬送ローラ３３４の間を通過するようになっている。なお、図２０に示すように、このような一対の搬送ローラ３３４は、搬送部３１２の幅方向に沿って並ぶよう２組設けられている。
【０１７１】
また、リジェクト部３２０には左右一対のストッパ部材３２２が設けられており、搬送部３１２からリジェクト部３２０に送られた紙幣は各ストッパ部材３２２に衝突することによりリジェクト部３２０から前方にこぼれ出てしまうことなく当該リジェクト部３２０上に適切に集積されるようになる。
【０１７２】
図１８および図１９に示すように、投入部３１０は、複数の紙幣が積層状態で載置される載置部３１１と、載置部３１１に積層状態で載置された複数の紙幣のうち最下層にある紙幣を筐体３０２の内部に繰り出して搬送部３１２に送る繰出ローラ等の紙幣繰出機構３１０ａとを有している。また、図１８に示すように、投入部３１０における載置部３１１上には左右一対の案内部材３４０、３４２（サイドホッパ部材）が設けられており、載置部３１１に載置される複数の紙幣は、これらの案内部材３４０、３４２の間に位置するようになっている。すなわち、左右一対の案内部材３４０、３４２により、載置部３１１に載置される複数の紙幣の幅方向における位置が決められるようになっている。
【０１７３】
ここで、図１８乃至図２０に示す紙幣計数機３００では、左右一対の案内部材３４０、３４２は、幅方向における載置部３１１の略中央位置からの距離を異ならせるよう当該載置部３１１に配置可能となっている。具体的には、図１８乃至図２０に示す紙幣計数機３００におけるある例では、左右一対の案内部材３４０、３４２のうち一方の案内部材の位置は固定されており、他方の案内部材の位置を幅方向に沿って変えることができるようになっている。また、図１８乃至図２０に示す紙幣計数機３００における別の例では、左右一対の案内部材３４０、３４２の各々を他の案内部材から独立して幅方向に沿って移動させることができるようになっている。また、左右一対の案内部材３４０、３４２のうち少なくとも一方の案内部材を自動で移動させることができるようになっていてもよい。この際に、指定された情報（例えば、操作者によって事前に筐体３０２の前面に設けられた操作表示部３６０により制御部（図示せず）に入力されたハイブリッド紙幣の通貨の種類や金種、サイズ等）に基づいて、左右一対の案内部材３４０、３４２のうち少なくとも一方の案内部材が自動で移動されるようになっていてもよい。
【０１７４】
次に、このような構成からなる紙幣計数機３００の動作について説明する。具体的には、図１８乃至図２０に示すような紙幣計数機３００により紙幣の計数処理が行われる際の動作について以下に述べる。
【０１７５】
操作者は、投入部３１０の載置部３１１に複数の紙幣を積層状態で載置した後、操作表示部３６０により紙幣の計数処理開始の指令を入力する。このことにより、投入部３１０の載置部３１１に投入された紙幣は紙幣繰出機構３１０ａにより１枚ずつ筐体３０２内に繰り出され、搬送部３１２により１枚ずつ搬送されるようになる。そして、搬送部３１２により搬送される紙幣は識別部３１４により識別および計数が行われる。識別部３１４により正常な紙幣ではないと識別された紙幣、すなわちリジェクト紙幣は搬送部３１２から分岐部材３１６によりリジェクト部３２０側に分岐させられ、当該リジェクト部３２０に積層状態で集積される。このことにより、操作者はリジェクト部３２０に集積されたリジェクト紙幣を筐体３０２から手動で取り出し、投入部３１０に再び載置することができるようになる。一方、識別部３１４により正常な紙幣であると識別された紙幣は搬送部３１２から分岐部材３１６により集積部３３０側に分岐させられ、当該集積部３３０に積層状態で集積される。
【０１７６】
図１８等に示すような紙幣計数機３００において、もし仮に、集積部３３０における各羽根車３３２の幅方向における位置が、これらの各羽根車３３２の上流側に位置する各搬送ローラ３３４の幅方向における位置と重なっている場合には、集積部３３０に送られるべきハイブリッド紙幣のポリマーフィルム部分Ｐ２の幅方向における位置が各羽根車３３２の幅方向における位置と重なっている場合でもこのハイブリッド紙幣のポリマーフィルム部分Ｐ２を一対の搬送ローラ３３４の間で挟圧することによりそのコシを弱めることができ、よって羽根車３３２の２枚の羽根３３２ｂの間に適切に入り込むようになる。しかしながら、図２０に示すように、集積部３３０における各羽根車３３２の幅方向における位置が、これらの各羽根車３３２の上流側に位置する各搬送ローラ３３４の幅方向における位置からずれている場合には、ハイブリッド紙幣のポリマーフィルム部分Ｐ２が一対の搬送ローラ３３４の間で挟圧されることなく羽根車３３２に送られてしまい、この場合にはハイブリッド紙幣におけるコシが強いポリマーフィルム部分Ｐ２が２枚の羽根３３２ｂの間に十分に入り込まなくなってしまうおそれがあり、この場合には集積部３３０において紙幣が整列された状態で集積されなくなる。
【０１７７】
このため、図１８等に示す紙幣計数機３００において、投入部３１０の載置部３１１に紙幣が載置される前に、ハイブリッド紙幣をそのおもて面が上向きとなりかつ短手方向の向きが所定の向きとなるよう投入部３１０の載置部３１１に載置したときに当該ハイブリッド紙幣のポリマーフィルム部分Ｐ２の幅方向における位置が集積部３３０に設けられた各羽根車３３２の幅方向における位置からずれるよう、投入部３１０における左右一対の案内部材３４０、３４２の位置が調整される。このような投入部３１０における左右一対の案内部材３４０、３４２の位置の調整方法について図２０を用いて説明する。
【０１７８】
図２０には、ハイブリッド紙幣をそのおもて面が上向きとなりかつ短手方向の向きが所定の向きとなるよう投入部３１０の載置部３１１に載置したときの当該ハイブリッド紙幣のポリマーフィルム部分Ｐ２の幅方向における位置が集積部３３０に設けられた各羽根車３３２の幅方向における位置からずれるよう、図１８に示す投入部３１０における左右一対の案内部材３４０、３４２によりハイブリッド紙幣の幅方向における位置を調整する方法が示されている。ここで、図２０において、搬送部３１２によるハイブリッド紙幣の搬送方向は右方向となっている。また、搬送部３１２の搬送路における、集積部３３０に設けられた各羽根車３３２の幅方向における位置と同じ位置を参照符号Ｌ３で示している。また、図２０における投入部３１０に位置する紙幣は、おもて面が上向きとなりかつ短手方向の向きが所定の向きとなるよう投入部３１０の載置部３１１に載置されたハイブリッド紙幣である。
【０１７９】
図１８等に示すような紙幣計数機３００では、図２０に示すように、紙幣の計数処理を行う前に、ハイブリッド紙幣をそのおもて面が上向きとなりかつ短手方向の向きが所定の向きとなるよう投入部３１０の載置部３１１に載置したときに当該ハイブリッド紙幣のポリマーフィルム部分Ｐ２の幅方向における位置が集積部３３０に設けられた各羽根車３３２の幅方向における位置からずれるよう、投入部３１０における左右一対の案内部材３４０、３４２の位置が調整される。ここで、各案内部材３４０、３４２の位置は操作者によって手動で調整されるようになっていてもよく、あるいは自動で調整されるようになっていてもよい。
【０１８０】
そして、投入部３１０における各案内部材３４０、３４２の幅方向の位置が調整された後、操作者は投入部３１０における各案内部材３４０、３４２の間に複数の紙幣を積層状態で載置し、操作表示部３６０により計数処理開始の指令を制御部５０に与える。なお、この際に、投入部３１０の載置部３１１に図３に示すようなハイブリッド紙幣が載置される場合には、当該ハイブリッド紙幣のおもて面が上方を向きかつ短手方向の向きが所定の向きとなるように当該ハイブリッド紙幣が載置部３１１に載置される。このように、投入部３１０における各案内部材３４０、３４２の位置を前もって調整することにより、搬送部３１２から分岐部材３１６により集積部３３０側に分岐されたハイブリッド紙幣のポリマーフィルム部分Ｐ２の幅方向における位置が集積部３３０に設けられた各羽根車３３２の幅方向における位置からずれるようになる。このことにより、搬送部３１２から分岐部材３１６により集積部３３０側に分岐されたハイブリッド紙幣を各羽根車３３２の２枚の羽根間に適切に入れることができるようになるため、集積部３３０において集積不良が生じてしまうことを防止することができるようになる。
【０１８１】
また、図１８等に示すような紙幣計数機３００では、識別部３１４により識別された紙幣の所定の特徴部分（具体的には、ハイブリッド紙幣のポリマーフィルム部分Ｐ２）の幅方向における位置が所定の位置ではない場合に、すなわち、識別部３１４により識別されたハイブリッド紙幣のポリマーフィルム部分Ｐ２の幅方向における位置が集積部３３０に設けられた各羽根車３３２の幅方向における位置と少なくとも部分的に重なる場合には、当該ハイブリッド紙幣は集積部３３０ではなくリジェクト部３２０に送られるようになっている。このことにより、ハイブリッド紙幣におけるコシが強いポリマーフィルム部分Ｐ２が各羽根車３３２の２枚の羽根３３２ｂの間に入ってしまい集積部３３０において集積不良が生じてしまうことを防止することができるようになる。また、識別部３１４により識別されたハイブリッド紙幣の表裏の向きや短手方向の向きが所定の向きではない場合にも、当該ハイブリッド紙幣は集積部３３０ではなくリジェクト部３２０に送られるようになっていてもよい。この場合でも、ハイブリッド紙幣におけるコシが強いポリマーフィルム部分Ｐ２が各羽根車３３２の２枚の羽根３３２ｂの間に入ってしまい集積部３３０において集積不良が生じてしまうことを防止することができるようになる。
【０１８２】
また、識別部３１４により識別されたハイブリッド紙幣のポリマーフィルム部分Ｐ２の幅方向における位置が集積部３３０に設けられた各羽根車３３２の幅方向における位置と少なくとも部分的に重なる場合や、識別部３１４により識別されたハイブリッド紙幣の表裏の向きや短手方向の向きが所定の向きではない場合には、このことが例えば操作表示部３６０に表示されることによって操作者に報知されるようになっていてもよい。また、ポリマーフィルム部分Ｐ２の幅方向における位置が集積部３３０に設けられた各羽根車３３２の幅方向における位置と少なくとも部分的に重なると識別部３１４により識別されたハイブリッド紙幣や、表裏の向きや短手方向の向きが所定の向きではないと識別部３１４により識別されたハイブリッド紙幣がリジェクト部３２０に送られる際に、それ以外のリジェクト紙幣（例えば、偽券や損券等）と区別してリジェクト部３２０に送られるようになっていてもよい。
【０１８３】
また、本発明による紙葉類処理機ならびにこのような紙葉類処理機に設けられた紙葉類収納繰出装置や紙葉類繰出装置は、上述した、紙幣の入金処理等の様々な処理を行う紙幣処理機１０や紙幣計数機３００、ならびにこのような紙幣処理機１０に設けられた一時保留部２０（紙幣収納繰出装置）や投入部１２や投入部３１０（紙幣繰出装置）に限定されることはない。本発明による紙葉類処理機ならびにこのような紙葉類処理機に設けられた紙葉類収納繰出装置や紙葉類繰出装置として、紙幣以外の小切手、商品券等の紙葉類の処理を行うことができるものが用いられてもよい。
【符号の説明】
【０１８４】
１０、１０ａ  紙幣処理機
１１      筐体
１２      投入部
１２ａ    紙幣繰出機構
１４      投出部
１６      搬送部
１８      識別部
２０、２０ａ、２０ｂ  一時保留部
３０      紙幣収納庫
３２      紙幣繰出機構
４０      紙幣収納カセット
４２      紙幣繰出機構
５０      制御部
５２      操作表示部
５４      記憶部
５６      通信インターフェース部
６０      収納繰出部
１３０    側板
１３１    連結部材
１３２    フレーム
１３５    出入口
１３６    テープ
１３６ａ  第１の面
１３６ｂ  第２の面
１３７、１３７ａ、１３７ｂ  ドラム
１３７ｍ  テーパ部分
１３７ｎ  凹部分
１３７ｐ  最大外径部
１３８    リール
１３９    分岐レバー
１４０    搬送機構
１４１    ガイド体
１４１ａ  支点
１４２    固定通路
１４３    ガイド通路
１４４    揺動通路
１４７    ドラム軸
１４８    駆動モータ
１４９    リール軸
１５１    回転量検知部
１５３    レバー軸
１５５ａ、１５５ｂ  ベルト
１５６ａ、１５６ｂ  プーリ
１５７ａ、１５７ｂ  プーリ
１５８    プーリ
１５９    プーリ軸
１６０    固定ガイド
１６１    ギヤ
１６２    伝達手段
１６４    第１のガイド部材
１６４ａ  延長部
１６５    第２のガイド部材
１６６    支持部材
１６７    接触ローラ
１６７ａ  第１の接触ローラ
１６７ｂ  第２の接触ローラ
１６８    スプリング
１６９    爪
１７０    ガイド部
１７２    ガイドローラ
１７３    テープガイド
１８４    ガイド機構
１８５    駆動ローラ
１８８    誘導ローラ
１９５    紙幣検知部
１９８    駆動モータ
２０１    載置部
２０２    壁部材
２１０、２１２  案内部材
２１４、２１６  目印
２２０    キッカローラ
２２２    繰出ローラ
２２４    ゲートローラ
２３０    加熱ローラ
２３２    受けローラ
２４０    位置決め部材
２４２    ドラム
２４２ａ  ドラム軸
２４４    第１のリール
２４４ａ  リール軸
２４６    第２のリール
２４６ａ  リール軸
２４８    駆動モータ
２５０、２５２  テープ
２５４、２５６  案内ローラ
２５８    出入口
２７０    可動ガイド
２７１    軸
３００    紙幣計数機
３０２    筐体
３１０    投入部
３１０ａ  紙幣繰出機構
３１１    載置部
３１２    搬送部
３１４    識別部
３１６    分岐部材
３２０    リジェクト部
３２２    ストッパ部材
３３０    集積部
３３２    羽根車
３３２ａ  軸
３３２ｂ  羽根
３３４    搬送ローラ
３３６    シャッター
３４０、３４２  案内部材
３６０    操作表示部
５００    回転体
【図１】
2018070271.tif 000003
【図２】
2018070271.tif 000004
【図３】
2018070271.tif 000005
【図４】
2018070271.tif 000006
【図５】
2018070271.tif 000007
【図６】
2018070271.tif 000008
【図７】
2018070271.tif 000009
【図８Ａ】
2018070271.tif 000010
【図８Ｂ】
2018070271.tif 000011
【図９】
2018070271.tif 000012
【図１０】
2018070271.tif 000013
【図１１】
2018070271.tif 000014
【図１２】
2018070271.tif 000015
【図１３】
2018070271.tif 000016
【図１４】
2018070271.tif 000017
【図１５】
2018070271.tif 000018
【図１６】
2018070271.tif 000019
【図１７】
2018070271.tif 000020
【図１８】
2018070271.tif 000021
【図１９】
2018070271.tif 000022
【図２０】
2018070271.tif 000023
【図２１】
2018070271.tif 000024